(57)【要約】【課題】本発明は、筒状の洗浄対象物であっても、洗浄対象面を損傷させることなく好適に電解洗浄を行うことができる電解洗浄装置を提供することを課題とする。【解決手段】本発明に係る電解洗浄装置は、電解洗浄液を収容する洗浄槽２内において、陰陽一対の電極１０，２０間に洗浄対象物６０を配置するとともに、これら一対の電極１０，２０及び洗浄対象物６０を電解洗浄液中に浸漬して通電し、電解洗浄を行う電解洗浄装置であって、前記洗浄対象物６０は、洗浄対象部位６１を外周側に有する筒状体であり、前記一対の電極１０，２０のうちの一方の電極１０が前記洗浄対象物６０を保持して該洗浄対象物６０と電気的に接続し、前記一対の電極１０，２０のうちの他方の電極２０が洗浄対象部位６１と間隔をあけて配置され、且つ、前記洗浄対象部位６１の少なくとも一部と対向するような構成となることを特徴とする。【選択図】図２
2008229552.tif 000002
【特許請求の範囲】
【請求項１】
電解洗浄液を収容する洗浄槽内において、陰陽一対の電極間に洗浄対象物を配置するとともに、これら一対の電極及び洗浄対象物を電解洗浄液中に浸漬して通電し、電解洗浄を行う電解洗浄装置であって、
前記洗浄対象物は、洗浄対象部位を外周側に有する筒状体であり、
前記一対の電極のうちの一方の電極が前記洗浄対象物を保持して該洗浄対象物と電気的に接続し、
前記一対の電極のうちの他方の電極が前記洗浄対象部位と間隔をあけて配置され、且つ、前記洗浄対象部位の少なくとも一部と対向するような構成となることを特徴とする電解洗浄装置。
【請求項２】
前記一方の電極を陰極、前記他方の電極を陽極とすることを特徴とする請求項１に記載の電解洗浄装置。
【請求項３】
前記洗浄対象物をロール状スタンパーとする請求項１又は２に記載の電解洗浄装置。
【請求項４】
前記一方の電極は、前記洗浄対象物に内周側から接触することを特徴とする請求項１から３のいずれか一項に記載の電解洗浄装置。
【請求項５】
前記一方の電極は、前記洗浄対象物の内周面に付勢状態で圧接する複数の接触部を備えて構成されることを特徴とする請求項１から４に記載の電解洗浄装置。
【請求項６】
前記一方の電極は、前記筒状の洗浄対象物の高さ方向に沿って配置される軸部を備え、前記複数の接触部は、前記軸部から突出させて設けられることを特徴とする請求項５に記載の電解洗浄装置。
【請求項７】
前記接触部は、前記洗浄対象物の内周面に接触する接触体と、該接触体を先端側で支持し基端側を前記軸部に固定される弾性変形可能な支持体とを備えて構成されることを特徴とする請求項５及び６に記載の電解洗浄装置。
【請求項８】
前記接触体は、少なくとも前記洗浄対象物の内周面と接触する部位が、前記洗浄対象物の内径よりも大きい曲率で湾曲する湾曲形状を有することを特徴とする請求項７に記載の電解洗浄装置。
【請求項９】
前記一方の電極は、前記軸部の軸線方向両端部を電極支持部材に着脱可能に支持されることを特徴とする請求項４から８のいずれか一項に記載の電解洗浄装置。
【請求項１０】
前記他方の電極は、前記洗浄対象物を囲むように配置されることを特徴とする請求項１に記載の電解洗浄装置。
【請求項１１】
前記他方の電極は、前記洗浄対象物を囲む周方向において複数の電極部に分けて設けられ、且つ、前記洗浄対象物を囲む周方向における所定の箇所を中心に開閉可能に構成されることを特徴とする請求項１から１０のいずれか一項に記載の電解洗浄装置。
【請求項１２】
前記他方の電極は、前記洗浄対象物の洗浄対象部位に対向して配置される複数の電極部材と、該複数の電極部材を着脱可能に支持するフレーム部材とを備えて構成されることを特徴とする請求項１から１１のいずれか一項に記載の電解洗浄装置。
【請求項１３】
前記電極部材は、前記洗浄対象物の洗浄対象部位からの距離を調節可能に前記フレーム部材に取り付けられることを特徴とする請求項１２に記載の電解洗浄装置。
【請求項１４】
前記電極部材は、平坦な板状あるいは湾曲した板状を有する電極体を備え、該電極体には、両面間を連通する空間部が形成されることを特徴とする請求項１２又は１３に記載の電解洗浄装置。
【請求項１５】
前記他方の電極は、前記洗浄対象物を囲む全周のうち少なくとも一部の領域を開放して構成されることを特徴とする請求項１から１４のいずれか一項に記載の電解洗浄装置。
【請求項１６】
前記電解洗浄液を超音波振動させる超音波発生器を備えることを特徴とする請求項１から１５のいずれか一項に記載の電解洗浄装置。
【請求項１７】
前記電解洗浄液を洗浄槽から排出し、夾雑物を除去し、再度洗浄槽内に投入する循環機構を備えることを特徴とする請求項１から１６のいずれか一項に記載の電解洗浄装置。
【請求項１８】
前記電解洗浄液を加熱する加熱装置を備えることを特徴とする請求項１から１７のいずれか一項に記載の電解洗浄装置。
【発明の詳細な説明】
【技術分野】
【０００１】
本発明は、電解洗浄液を収容する洗浄槽内において、陰陽一対の電極間に洗浄対象物を配置するとともに、これら一対の電極及び洗浄対象物を電解洗浄液中に浸漬して通電し、電解洗浄を行う電解洗浄装置に関する。
【背景技術】
【０００２】
従来、電解洗浄液を収容する洗浄槽内において、陰陽一対の電極間に洗浄対象物を配置するとともに、前記一対の電極及び洗浄対象物を電解洗浄液中に浸漬して通電し、電解洗浄を行う電解洗浄装置が提案されている（例えば、特許文献１）。
【０００３】
この特許文献１に係る電解洗浄装置は、前記一対の電極のうちの一方の電極として機能する金属製のカゴに洗浄対象物を置き、且つ、前記一対の電極のうちの他方の電極を洗浄対象物の上方に間隔をあけて配置するものである。
【０００４】
このような電解洗浄装置は、成型用の凹凸が一端面に形成された金型等の洗浄対象物を洗浄するのに好適に用いられるものである。かかる洗浄対象物は、前記凹凸が形成された一端面を洗浄すべく、洗浄対象部位としての一端面が前記他方の電極と対向して配置され、前記洗浄対象部位とは反対側端面が金属製のカゴに接触する状態となる。
【０００５】
ところで、近年、成型用の凹凸が一端面に形成された金型以外にも、ロール状スタンパーのような外周面に成型用の凹凸が形成された筒状の金型が存在し、こういった筒状を有する金型を洗浄したいという要望が高まりつつある。
【０００６】
なお、このような筒状を有する金型は、一般的に、液晶表示装置等において照明用面光源素子として使用されるバックライト等に使用されるプリズムシート、拡散シート及びプロジェクションテレビやマイクロフィルムリーダー等の表示画面として用いられる投写スクリーンに使用されるレンチキュラーレンズシート等の光学シートを製造するのに用いられるものである（例えば、特許文献２）。また、このような筒状を有する金型は、該金型を回転させつつ、成型用の凹凸が形成された外周面によって例えば樹脂等の成型対象物の成型を行うものである。
【０００７】
【特許文献１】特許３５３２６０４号公報
【特許文献２】特開２００２−０８６４６１号公報
【発明の開示】
【発明が解決しようとする課題】
【０００８】
しかしながら、上述したような筒状を有する金型を洗浄する場合には、従来の金属製のカゴに洗浄対象物を置くタイプの電解洗浄装置では、以下に挙げるような種々の問題があった。
【０００９】
第一に、上述のような筒状を有する金型は、その外周面に成型用の凹凸が形成されるものであるから、かかる外周面を直接電極（上述の場合では、金属製のカゴ）に接触させるのは好ましいことではない。
【００１０】
第二に、電解洗浄を効率よく行うためには洗浄対象物と電極とを十分に接触させる必要があるが、筒状を有する洗浄対象物では、その接触面積を十分に確保することができない。即ち、筒状の洗浄対象物をその高さ方向に沿って立てた状態で金属製のカゴに配置した場合には、洗浄対象物の縁の部分のみしか金属製のカゴと接触させることができない。また、筒状を有する洗浄対象物を横倒しにした状態で金属製のカゴに配置した場合には、洗浄対象物が円筒形状のものであれば、接触する箇所が洗浄対象物の高さ方向に沿う直線状の部分のみとなってしまう。
【００１１】
これでは、通電量が足りず、電解洗浄を効率よく行うことができない。加えて、電極との接触面積が小さいと電流が局所的に流れてしまい、過電流によって洗浄対象物を損傷してしまいかねない。
【００１２】
そこで、本発明は、筒状の洗浄対象物であっても、洗浄対象部位を損傷させることなく好適に電解洗浄を行うことができる電解洗浄装置を提供することを目的とする。
【課題を解決するための手段】
【００１３】
本発明に係る電解洗浄装置は、電解洗浄液を収容する洗浄槽内において、陰陽一対の電極間に洗浄対象物を配置するとともに、これら一対の電極及び洗浄対象物を電解洗浄液中に浸漬して通電し、電解洗浄を行う電解洗浄装置であって、前記洗浄対象物は、洗浄対象部位を外周側に有する筒状体であり、前記一対の電極のうちの他方の電極が前記洗浄対象部位と間隔をあけて配置され、且つ、前記洗浄対象部位の少なくとも一部と対向するような構成となることを特徴とする。
【００１４】
上記構成からなる電解洗浄装置によれば、前記一方の電極が前記洗浄対象物を保持し、且つ、他方の電極が前記洗浄対象部位と間隔をあけて配置されるため、洗浄対象部位に電極などを直接接触させることなく電解洗浄を行うことができる。
【００１５】
また、前記電解洗浄装置は、前記一方の電極を陰極、前記他方の電極を陽極とする構成が好ましい。
【００１６】
このようにすれば、洗浄対象物が陰極と電気的に接続されるため、洗浄対象物が陰極電解されることとなり、洗浄対象物を溶解させたり磨耗させることなく洗浄を行うことができる。特に、前記洗浄対象物がロール状スタンパーなどの金型である場合には、洗浄対象部位には微細な凹凸パターンが形成されているため、洗浄対象物を溶解させたり磨耗させることなく洗浄を行うことができる陰極電解が好ましい。
【００１７】
また、前記一方の電極は、前記洗浄対象物に内周側から接触する構成が好ましい。
【００１８】
このようにすれば、洗浄対象物の外周側の洗浄対象部位に前記一方の電極を接触させないようにしつつも、確実に前記洗浄対象物と電気的に接続することができる。
【００１９】
また、前記一方の電極は、前記洗浄対象物の内周面に付勢状態で圧接する複数の接触部を備えて構成されるものが好ましい。
【００２０】
このようにすれば、洗浄対象物が複数箇所において電気的に接続されるため、洗浄対象物の部位ごとの通電量の差を小さくして、洗浄むらの発生を好適に抑制することができる。
【００２１】
また、前記一方の電極は、前記筒状の洗浄対象物の高さ方向に沿って配置される軸部を備え、前記複数の接触部は、前記軸部から突出させて設けられる構成が好ましい。
【００２２】
このようにすれば、上述のような複数の接触部を有する一方の電極を容易に作製することができる。
【００２３】
また、このような一方の電極としては、前記接触部は、前記洗浄対象物の内周面に接触する接触体と、該接触体を先端側で支持し基端側を前記軸部に固定される弾性変形可能な支持体とを備えて構成されるものが考えられる。
【００２４】
また、前記接触体は、少なくとも前記洗浄対象物の内周面と接触する部位が、前記洗浄対象物の内径よりも大きい曲率で湾曲する湾曲形状を有する構成が好ましい。
【００２５】
このようにすれば、前記接触体と洗浄対象物の内周面とが沿う状態となるため、電流が局所的に流れるのを好適に防止することができる。
【００２６】
また、前記一方の電極は、前記軸部の軸線方向両端部を電極支持部材に着脱可能に支持される構成が好ましい。
【００２７】
このようにすれば、電解洗浄の際に前記洗浄対象物を一方の電極に装着してから電極支持部材に設置し、電解洗浄の完了後に前記洗浄対象物を一方の電極ごと電極支持部材から取り外せばよい。従って、洗浄対象物を一方の電極に対して着脱する作業を容易に行うことができる。
【００２８】
また、前記他方の電極は、前記洗浄対象物を囲むように配置される構成が好ましい。
【００２９】
このようにすれば、他方の電極と洗浄対象部位とが広い範囲に亘って対向する状態となるため、電解洗浄を効率よく行うことができる。
【００３０】
また、前記他方の電極は、前記洗浄対象物を囲む周方向において複数の電極部に分けて設けられ、且つ、前記洗浄対象物を囲む周方向における所定の箇所を中心に開閉可能に構成されるものが好ましい。
【００３１】
このようにすれば、前記洗浄対象物を他方の電極に対して着脱する際には、他方の電極を開放し、該開放された部分から前記洗浄対象物を出し入れすればよいため、洗浄対象物を電解洗浄装置に容易にセットすることができる。
【００３２】
また、前記他方の電極は、前記洗浄対象物の洗浄対象部位に対向して配置される複数の電極部材と、該複数の電極部材を着脱可能に支持するフレーム部材とを備えて構成されるものが好ましい。
【００３３】
このようにすれば、洗浄対象物のサイズに合わせて電極部材を交換したり、電極部材が損傷した場合等に交換したりすることが容易となる。
【００３４】
また、前記電極部材は、前記洗浄対象物の洗浄対象部位からの距離を調節可能に前記フレーム部材に取り付けられる構成が好ましい。
【００３５】
このようにすれば、筒状の洗浄対象物の高さ方向に直交する方向（洗浄対象物が円筒状の場合における径方向）のサイズに応じて前記洗浄対象部位からの距離を調整でき、様々なサイズの洗浄対象物を好適に洗浄することができる。
【００３６】
また、前記電極部材は、平坦な板状あるいは湾曲した板状を有する電極体を備え、該電極体には、両面間を連通する空間部が形成される構成が好ましい。
【００３７】
このようにすれば、電解洗浄の際に発生する気体が前記貫通孔を通って抜けるため、電極体より鉛直方向下方で気体が発生したとしても、上昇してきた気体を該電極体が溜めてしまうことなく好適に逃がすことができる。
【００３８】
また、前記他方の電極は、前記洗浄対象物を囲む全周のうち少なくとも一部の領域を開放して構成されるものであってもよい。
【００３９】
このような他方の電極であれば、前記洗浄対象物を他方の電極に対して着脱する際には、他方の電極を開放する操作等を特に行うことなく、開放されている部分から前記洗浄対象物を出し入れすればよいため、洗浄対象物を電解洗浄装置に容易にセットすることができる。
【００４０】
また、前記電解洗浄装置は、前記電解洗浄液を超音波振動させる超音波発生器を備える構成が好ましい。
【００４１】
このようにすれば、電解洗浄液が超音波振動することにより洗浄対象物に付着した汚れの剥離を促進することができる。
【００４２】
また、前記電解洗浄装置は、前記電解洗浄液を洗浄槽から排出し、夾雑物を除去し、再度洗浄槽内に投入する循環機構を備える構成が好ましい。
【００４３】
このようにすれば、電解洗浄液を常時清浄な状態に維持することができ、電解洗浄を効果的に行うことができる。
【００４４】
また、前記電解洗浄装置は、前記電解洗浄液を加熱する加熱装置を備える構成が好ましい。
【００４５】
このようにすれば、電解洗浄液の温度を上昇させると通電量が増加するため、電解洗浄を活性化することができる。また、電解洗浄液の温度を上昇させると洗浄対象物に付着した汚れの膨潤を促進させることができる。従って、洗浄をより効果的に行うことができる。
【発明の効果】
【００４６】
以上のように、本発明に係る電解洗浄装置によれば、筒状の洗浄対象物であっても、洗浄対象部位を損傷させることなく好適に電解洗浄を行うことができる。
【発明を実施するための最良の形態】
【００４７】
＜第一実施形態＞
以下に、本発明に係る電解洗浄装置の第一実施形態について説明する。
【００４８】
第一実施形態に係る電解洗浄装置は、図１に示すような外観を有し、筐体１と、該筐体１の上部に配置され、電解洗浄液を収容する洗浄槽２と、電解洗浄液中に浸漬する態様で洗浄槽２の内部に配置される陽極（＋）及び陰極（−）からなる電極３（図２に示す一対の電極１０，２０）と、これら電極３に給電する電源（図示しない）を備える。なお、前記電極３に対しては、前記電源から直流電流が供給される。
【００４９】
該電解洗浄装置は、図２にも示されるように、一対の電極１０，２０間に洗浄対象物６０を配置するとともに、これら一対の電極１０，２０及び洗浄対象物６０を電解洗浄液中に浸漬して通電し、電解洗浄を行う電解洗浄装置である。以下では、電解洗浄装置自体の構成について概略的な説明を行う。
【００５０】
前記電解洗浄装置には、電解洗浄以外にも前記電解洗浄液を超音波振動させて洗浄対象物の超音波洗浄を行うための超音波発生器７が備えられている。該超音波発生器７は、前記洗浄槽２の下方に設けられる。超音波洗浄は、電解洗浄と同時に又は交互に行うことができるが、電解洗浄と同時に行われるのが好ましい。また、前記電解洗浄装置は、前記電解洗浄液を加熱する加熱装置（図示しない）を備える構成が好ましい。
【００５１】
さらに、前記電解洗浄装置は、電解洗浄液を洗浄槽から排出し、夾雑物を除去し、再度洗浄槽内に投入する循環機構（図示しない）を備える。ここで、循環機構について具体的に説明する。前記洗浄槽２は、底部分から電解洗浄液が供給されるように構成されており、洗浄槽２が満杯となると、所定の高さ位置に設けられた排出部２ａから電解洗浄液がオーバーフローするようになっている。前記電解洗浄装置には、オーバーフローした電解洗浄液が流入するオーバーフロー槽６が洗浄槽２に連設されている。電解洗浄の際には、洗浄対象物６０から剥離した付着物などの夾雑物や泡が発生するものであるが、電解洗浄液をオーバーフローさせることで、これら夾雑物や泡も電解洗浄液とともに洗浄槽２から排出される。オーバーフロー槽６に流入した電解洗浄液は、例えば濾過等の周知の方法によって浄化処理され、浄化された電解洗浄液は再度前記洗浄槽２に供給される。
【００５２】
次に、前記電解洗浄装置によって洗浄される洗浄対象物６０について説明する。前記洗浄対象物６０は、図３に示すように、洗浄対象部位６１を外周側に有する筒状体であり、特にロール状スタンパーのような図３（Ａ）に示すような円筒状の金型が想定される。かかる円筒状を有する金型は、一般的に、液晶表示装置等において照明用面光源素子として使用されるバックライト等に使用されるプリズムシート、拡散シート及びプロジェクションテレビやマイクロフィルムリーダー等の表示画面として用いられる投写スクリーンに使用されるレンチキュラーレンズシート等の光学シートを製造するのに用いられるものである。ところで、実施例に用いた洗浄対象物６０の大きさは、筒の高さ寸法が約１００〜２３０ｍｍで、高さ方向に直交する方向のサイズ（円筒状の洗浄対象物の直径）が約８０〜１００ｍｍである。また、その厚みは、約０．３〜２．０ｍｍである。
【００５３】
なお、洗浄対象物６０としては、上述のような金型以外にも、メッキ対象物や搬送ローラーなどが考えられる。また、洗浄対象物６０としては、円筒状のものに限られず、図３（Ｂ）〜（Ｄ）に示すような角筒状を有するものも考えられ、具体的には、断面四角形状（又は略四角形状）のものや、断面六角形状（又は略六角形状）や断面八角形状（又は略八角形状）のものが考えられる。ただし、以下では、洗浄対象物６０が円筒状である場合（特に、ロール状スタンパーである場合）を例に説明する。
【００５４】
さて、前記一対の電極１０，２０について詳細に説明する。洗浄対象物６０がロール状スタンパーである場合、洗浄対象部位６１には微細な凹凸パターンが形成されている。このため、洗浄対象物６０を溶解させたり磨耗させることなく洗浄を行うことができる陰極電解が好ましい。従って、一対の電極１０，２０のうち前記一方の電極１０が陰極（−）とされ、前記他方の電極が陽極（＋）とされる。即ち、前記一方の電極１０は、前記電源のマイナス極（−）側に接続され、他方の電極２０は、電源のプラス極（＋）側に接続される。
【００５５】
次に、図４及び図５に基づいて、前記一方の電極１０について説明する。該一方の電極１０は、図４及び図５に示すように、前記洗浄対象物６０を保持して該洗浄対象物６０と電気的に接続する。また、前記一方の電極１０は、前記洗浄対象物６０の内周側に配置される。そして、前記一方の電極１０は、前記洗浄対象物６０に内周側から接触し、該洗浄対象物６０を直接保持するものである。さらに、前記一方の電極１０は、前記洗浄対象物６０の内周面６２に圧接する。
【００５６】
また、図５によく示されるように、前記一方の電極１０は、前記洗浄対象物６０の内周面６２に付勢状態で圧接する複数の接触部１１，１１…を備えて構成される。具体的には、各接触部１１は、最も外方に位置する部位が所定の径の仮想的な筒の外周上に位置するように設けられる。即ち、前記複数の接触部１１は、前記仮想的な筒の高さ方向に沿う中心線に沿い、且つ該中心線からの径方向距離が同等となるように配置される。
【００５７】
また、前記仮想的な筒の径は前記筒状の洗浄対象物６０の内径以上となるように設定される。従って、洗浄対象物６０を一方の電極１０に装着すると、前記一方の電極１０は、前記洗浄対象物６０の中で径方向に圧縮された状態となる。このため、洗浄対象物６０が前記一方の電極１０に保持されると、各接触部１１が弾性変形し、前記洗浄対象物６０の内周面（若しくは、内壁）に圧接する状態となる。また、一方の電極１０の中心は、該一方の電極１０に保持される筒状の洗浄対象物６０の中心と一致した状態となる。
【００５８】
具体的には、前記一方の電極１０は、前記筒状を有する洗浄対象物６０の高さ方向に沿って配置される軸部１２を備え、前記複数の接触部１１，１１…は、前記軸部１２から突出させて設けられる。該軸部１２は、具体的には金属製の棒状体であり、弾性変形可能な接触部１１に比べて容易に変形することがないような高い剛性を有する。前記軸部１２は、その軸線Ｌが前記一方の電極１０の中心部に位置するように配置される。また、前記軸部１２は、前記洗浄対象物６０の高さ寸法よりも長く形成される。
【００５９】
また、前記接触部１１は、前記洗浄対象物６０の内周面に接触する接触体１３と、該接触体１３を先端側で支持し基端側を前記軸部１２に固定される弾性変形可能な支持体１４とを備えて構成される。該接触体１３は、少なくとも前記洗浄対象物６０の内周面６２と接触する部位が、前記洗浄対象物６０の内径よりも大きい曲率で湾曲する湾曲形状を有する。具体的には金属製の球状体であり、例えばベアリングのボールが用いられる。
【００６０】
また、前記軸部１２は、前記洗浄対象物６０の中心部に配置される。そして、前記各接触体１３，１３…は、前記軸部１２の軸線Ｌから径方向に同等の距離離間した位置に配置される。前記支持体１４は、具体的には金属製の棒状体であり、前記軸部１２に比べて細く形成される。また、該支持体１４は、前記軸部１２から突出する態様で設けられる。
【００６１】
具体的には、前記支持体１４は、前記接触体１３が配置される軸線方向位置とは異なる位置で前記軸部１２に固定される。そして、前記支持体１４は、中間部分が曲った形状を有し、前記軸部１２から該軸部１２の径方向に沿って立ち上がる縦部位１４ａと、該縦部位１４ａの先端から前記軸線方向に沿って延びる横部位１４ｂとで構成される。
【００６２】
また、前記接触体１３に対して付勢力を加えるべく、該接触体１３を支持する支持体１４が固定される軸線方向位置よりも近い位置に、付勢体１５が取り付けられる。具体的には、前記付勢体１５は、前記接触体１３が設けられる軸線方向位置及び周方向位置の同一位置に配置される。即ち、前記付勢体１５は、前記接触体１３と前記軸部１２との間に設けられ、接触体１３に対して軸部１２の径方向外方に向かう付勢力を作用させる。また、前記付勢体１５は、前記接触体１３及び軸部１２の両方に連結される。より具体的には、前記付勢体１５としては、いわゆるコイルバネが用いられる。
【００６３】
さらに、前記付勢体１５は、前記軸部１２に固定される台座１６に保持される（若しくは、嵌め込まれる）。これにより、付勢体１５の伸縮方向が規制され、前記接触体１３を径方向外方に向かって好適に付勢することができる。なお、前記支持体１４と付勢体１５とは、弾性変形して付勢力（若しくは、復元力）を作用させるという同一の機能をともに有する。このため、前記支持体１４を第一の弾性支持体とし、前記付勢体１５を第二の弾性支持体として特定することもできる。
【００６４】
ところで、前記電解洗浄装置は、前記一方の電極１０を支持した状態で該一方の電極１０を前記電源と電気的に接続する図６に示すような電極支持部材３０を備え、前記一方の電極１０は、前記軸部１２の軸線方向両端部を電極支持部材３０に着脱可能に支持される。次に、図２、図６及び図７に基づいて、該一方の電極１０を着脱可能に支持する構造について説明する。
【００６５】
前記電極支持部材３０は、前記電解洗浄装置に対して動かないように固定される固定部３１と、前記一方の電極１０を着脱可能に保持する保持部３２とを備える。また、前記固定部３１は、電解洗浄液よりも上方位置に配置され、具体的には、前記洗浄槽２の縁に係止される（図２参照）。一方、前記保持部３２は、電解洗浄液に浸漬される位置（即ち、液面より下方の位置）に配置される。このため、固定部３１と保持部３２との間の本体部３３は、長尺に形成される。
【００６６】
さらに、前記電極支持部材３０は、少なくとも前記固定部３１及び保持部３２を除いて絶縁性素材３４で被膜され、具体的には、前記本体部３３の一部が絶縁性素材３４で被膜される。また、前記固定部３１は、前記電源と接続される端子としての機能をも有し、前記電源とは、適当な電気コード４等を用いて接続される（図２参照）。
【００６７】
前記保持部３２は、前記軸部１２を鉛直方向下方で受け止める部位であり、具体的には、鉛直方向上方に向かって二股に分岐した側面視略Ｖ字状を有する。さらに、前記電極支持部材３０は、前記保持部３２に保持された電極支持部材３０が（例えば、電解洗浄液中で浮き上がるなどして）脱落するのを防止する脱落防止部３５を備える。前記脱落防止部３５は、具体的には、前記二股に分岐した保持部３２によって画定される空間を鉛直方向上方から閉塞する開閉体である。
【００６８】
なお、一方の電極１０の素材としては、鉄（Ｆｅ；より具体的には、ステンレス、鋼）、ニッケル（Ｎｉ）、チタン（Ｔｉ）が用いられる。
【００６９】
前記洗浄対象物６０を一方の電極１０に装着する際には、前記筒状を有する洗浄対象物６０の高さ方向両端側から前記一方の電極１０を挿通させ、前記一方の電極１０（具体的には、軸部１２）の両端部を前記洗浄対象物６０の両端側から突出させる状態とする。
【００７０】
次に、前記一対の電極１０，２０のうちの他方の電極２０について、図２、及び、図８〜図１２を用いて説明する。該他方の電極２０は、図２に示すように、前記洗浄対象部位６１と間隔をあけて配置され、且つ、前記洗浄対象部位６１と対向するように配置される。また、前記他方の電極２０は、前記洗浄対象物６０を囲むように配置される。なお、他方の電極２０と前記洗浄対象部位６１との間隔は、約２０〜４０ｍｍに設定されるのが好適である。
【００７１】
具体的には、前記他方の電極２０は、前記洗浄対象物６０を全周に亘って囲むように設けられる。また、図９に示すように、前記他方の電極２０は、前記筒状の洗浄対象物６０を収容する収容空間Ｓを有し、該収容空間Ｓは、前記筒状の洗浄対象物６０に対応して筒状に画定される。具体的には、該他方の電極２０は、前記洗浄対象物と同心に配置される。即ち、前記筒状の収容空間Ｓが前記一方の電極１０と同心となるように配置される。従って、他方の電極２０は、前記収容空間Ｓが前記一方の電極１０の軸部１２と同心となるように配置され、該一方の電極１０に保持される筒状の洗浄対象物６０とも同心となるように配置されることとなる。
【００７２】
また、前記他方の電極２０は、図１０及び図１１に示すように、前記全周における所定の領域を開放可能に構成される。具体的には、前記他方の電極２０は、前記一方の電極１０及び該一方の電極１０に保持される洗浄対象物６０を通過させることが可能な大きさに開放される。また、前記他方の電極２０は、一方の電極１０及び洗浄対象物６０を着脱する際や開放する操作の際の作業性を考慮して、少なくとも鉛直方向の上方側且つ電解洗浄装置の前方側の領域を開放可能とされる。
【００７３】
また、前記他方の電極２０は、前記洗浄対象物６０を囲む周方向において複数の電極部２２，２３に分けて設けられ、該複数の電極部２２，２３は、前記洗浄対象物６０を囲む全周における所定の箇所を中心に相対回転可能に構成される。これにより、前記他方の電極２０は、前記洗浄対象物６０を囲む周方向における所定の箇所を中心に開閉可能となる。具体的には、前記他方の電極２０は、鉛直方向上方側及び下方側の二つの電極部２２，２３を備え、該二つの電極部２２，２３のうちの上方の電極部２２が回転可能に設けられる。そして、前記各電極部２２，２３は、上下方向中間部且つ装置の後方側で回転可能に連結される。このため、前記他方の電極２０は、鉛直方向の上方側且つ電解洗浄装置の前方側の領域が開放される。なお、電極部は、二つ以上設けられるものであってもよい。
【００７４】
また、前記複数の電極部２２，２３は、それぞれ電源と同じ極性で接続される。具体的には、前記複数の電極部２２，２３は、鉛直方向上部及び下部で前記電源と接続される。
【００７５】
前記他方の電極２０は、前記洗浄対象物６０の洗浄対象部位６１に対向して配置される複数の電極部材２４，２４…と、該複数の電極部材２４，２４…を着脱可能に支持するフレーム部材２５とを備えて構成される。該フレーム部材２５は、側面視多角形状（若しくは略多角形状）を有し、該フレーム部材２５の平坦部２５ａが上方及び下方を向くように配置される。具体的には、前記フレーム部材２５は、側面視六角形状（若しくは略六角形状）を有する。また、前記電極部材２４は、フレーム部材２５の各平坦部２５ａに取り付けられる。
【００７６】
前記フレーム部材２５は、前記全周における所定の箇所に設けられるヒンジ部２８で連結される複数のフレーム体２６，２７によって構成される。即ち、前記フレーム部材２５は、略同一形状を有する二つのフレーム体（上方側及び下方側のフレーム体）２６，２７で構成される。前記電極部材２４は、該フレーム体２６，２７に対して締結部材を用いて取り付けられる。なお、フレーム体は、二つ以上設けられるものであってもよい。
【００７７】
また、前記電極部材２４は、前記洗浄対象物６０の洗浄対象部位６１からの距離を調節可能に前記フレーム部材２５に取り付けられる。具体的には、前記電極部材２４は、図１２に示すような調節機構２９を備える。該調節機構２９は、頭部に電極部材２４が固定されるボルト２９ａと二つのナット２９ｂ，２９ｃとを用いて前記フレーム体２６，２７に取り付けられる。具体的には、前記ボルト２９ａがフレーム体２６又は２７に挿通され、且つ、ボルト２９ａに螺合する前記二つのナット２９ｂ、２９ｃが前記フレーム体２６又は２７を挟む。そして、ボルト２９ａ上で二つのナット２９ｂ、２９ｃを締め付ける位置を変えることにより、電極部材２４とフレーム体２６又は２７との距離（即ち、前記洗浄対象物６０の洗浄対象部位６１からの距離）を調節し、これによって、前記洗浄対象物６０を収容する収容空間Ｓの大きさを調節する（図１２（Ａ）及び（Ｂ）参照）。
【００７８】
前記電極部材２４は、具体的には、湾曲した板状を有する電極体２４ａと該電極体２４ａを保持する保持体２４ｂとを備えて構成される。前記保持体２４ｂは、前記ボルト２９ａの頭部を少なくとも収容可能な所定の深さの溝２４ｃを有する。前記電極体２４ａは、湾曲形状を有する。また、前記電極体２４ａには、両面間を連通する空間部２４ｄが形成される。また、前記電極体２４ａは、前記筒状の洗浄対象物６０の外周面と沿うように湾曲して形成される。具体的には、前記湾曲した板状の電極体２４ａは、前記洗浄対象物６０の外周よりも曲率が小さく設定され、即ち、洗浄対象物６０の外周よりも緩やかに湾曲する。このような形状を有することにより、複数の電極部材２４，２４…によって形成される収容空間Ｓは、側面視円環状となる。
【００７９】
前記空間部２４ｄは、主に、電解洗浄の際に発生する気体（例えば、水素及び／又は酸素）を逃がす機能を有するものである。具体的には、前記板状の電極体２４ａは、メッシュ状（網目状）の部材を用いて構成される。ただし、前記電極体２４ａに空間部２４ｄを設ける方法としては、メッシュ状の部材を用いる以外にも、板状体に一つ又は複数の貫通孔を形成するものであってもよい。また、気体を逃がす構造としては、電極体２４ａに空間部２４ｄを設けるものに限定されず、気体をガイドする案内溝や勾配が形成されたものであってもよい。また、前記電極体２４ａは、湾曲形状に限定されず、平板状のものであってもよい。
【００８０】
なお、前記電極体２４ａの素材としては、白金（Ｐｔ）、パラジウム（Ｐｄ）、金（Ａｕ）、銀（Ａｇ）あるいはそれらの合金などを用いることができるが、具体的には、チタン（Ｔｉ）の表面に白金（Ｐｔ）をメッキしたものが用いられる。
【００８１】
ところで、前記他方の電極２０は、図１３に示すような導電部材４０又は４５を用いて前記電源と電気的に接続される。具体的には、前記導電部材４０又は４５は、前記複数の電極部２２，２３に対応して複数設けられる。
【００８２】
前記上方側の電極部２２に対応する第１の導電部材４０は、図２や図８等に示すように、前記フレーム部材２５（具体的には、上方側のフレーム体２６）の上方を向く平坦部２５ａに取り付けられる。前記第１の導電部材４０は、図１３（Ａ）に示すように、両端側に前記電源と接続される一対の端子部４１を有し、中間部に前記上方を向く平坦部２５ａと接触するフレーム接触部４２を有する。該フレーム接触部４２は、前記フレーム部材２５の平坦部２５ａに対応して平坦に形成される。
【００８３】
また、前記端子部４１は、電解洗浄液よりも上方位置に配置され、さらに、前記一方の電極１０を支持する電極支持部材３０の固定部３１よりも上方位置に配置される。一方、前記フレーム接触部４２は、電解洗浄液に浸漬される位置（即ち、液面より下方の位置）に配置される前記電極部材２４に取り付けられるフレーム体２６に取り付けられるものであるため、該フレーム接触部４２は、電解洗浄液に浸漬される位置か、若しくは少なくとも液面の近傍位置に配置される。このため、前記端子部４１とフレーム接触部４２とは、該平坦なフレーム接触部４２の直交方向（即ち、取付状態での鉛直方向）における高さ位置が異なるように設けられる。また、端子部４１とフレーム接触部４２との間の接続部４３は、フレーム接触部４２に対して傾斜させて設けられる。
【００８４】
前記下方側の電極部２３に対応する第２の導電部材４５は、図２や図８等に示すように、前記フレーム部材２５（具体的には、下方側のフレーム体２７）の下方を向く平坦部２５ａに取り付けられる。前記第２の導電部材は、図１３（Ｂ）に示すように、両端側に前記電源と接続される一対の端子部４６を有し、中間部に前記下方を向く平坦部２５ａと接触するフレーム接触部４７を有する。該フレーム接触部４７は、前記下方を向く平坦部２５ａに対応して平坦に形成される。
【００８５】
また、前記端子部４６は、電解洗浄液よりも上方位置に配置され、さらに、前記一方の電極１０を支持する電極支持部材３０の固定部３１よりも上方位置に配置される。一方、前記フレーム接触部４７は、電解洗浄液に浸漬される位置（即ち、液面より下方の位置）に配置される。このため、前記端子部４６とフレーム接触部４７とは、該平坦なフレーム接触部４７の直交方向（即ち、取付状態での鉛直方向）における高さ位置が異なるように設けられる。また、フレーム接触部４７は、前記洗浄槽２の底面に配置され、好ましくは、前記底面に締結部材等を用いて固定される。さらに、端子部４６とフレーム接触部４７との間の接続部４８は、前記フレーム接触部４７に沿って両端側に突出する延出部位４８ａと延出部位４８ａの端部からフレーム接触部４７に沿って立ち上がる立ち上がり部位４８ｂとで構成される。
【００８６】
さらに、前記第１の導電部材４０の端子部４１と第２の導電部材４５の端子部４６とは、各導電部材４０，４５を前記他方の電極２０に取り付けた状態で重なり合うように位置設定される。そして、前記各導電部材４０，４５の端子部４１，４６は、上下に重なり合った状態で電気コード５等を用いて前記電源と接続される（図２参照）。
【００８７】
なお、前記他方の電極２０を開放する際には、前記第１の導電部材４０の液面より上方に露出している部分（即ち、接続部４３の一部若しくは端子部４１）を上方に持ち上げればよい。
【００８８】
＜第二実施形態＞
次に、本発明に係る電解洗浄装置の第二実施形態について説明する。
【００８９】
第二実施形態に係る電解洗浄装置は、上記第一実施形態に係る電解洗浄装置と同様に一対の電極を備えるものであるが、上記第一実施形態に係る電解洗浄装置とは、一対の電極のうち、洗浄対象物の内周側に配置されて該洗浄対象物と電気的に接続する一方の電極の構造が異なり、即ち、図１４に示すような一方の電極１１０を備える。その一方、一対の電極のうちの他方の電極や洗浄可能な洗浄対象物などに関しては、基本的に第一実施形態に係る電解洗浄装置と同様である。従って、以下では一方の電極１１０について説明し、他の構成については説明を省略する。また、共通の構成要素については、同一符号を用いる。
【００９０】
第二実施形態における一方の電極１１０は、上記第一実施形態における一方の電極１０と同様に、前記洗浄対象物６０を保持して該洗浄対象物６０と電気的に接続する。また、前記一方の電極１１０は、前記洗浄対象物６０の内周側に配置される。そして、前記一方の電極１１０は、前記洗浄対象物６０に内周側から接触し、該洗浄対象物６０を直接保持するものである。さらに、前記一方の電極１１０は、前記洗浄対象物６０の内周面６２に圧接する。
【００９１】
また、前記一方の電極１１０は、前記洗浄対象物６０の内周面６２に付勢状態で圧接する複数の接触部１１１，１１１…を備えて構成される。具体的には、各接触部１１１は、最も外方に位置する部位が所定の径の仮想的な筒の外周上に位置するように設けられる。即ち、前記複数の接触部１１１は、前記仮想的な筒の高さ方向に沿う中心線に沿い、且つ該中心線からの径方向距離が同等となるように配置される。
【００９２】
また、前記仮想的な筒の径は前記筒状の洗浄対象物６０の内径以上に設定される。従って、洗浄対象物６０を一方の電極１１０に装着すると、前記一方の電極１１０は、前記洗浄対象物６０の中で径方向に圧縮された状態となる。このため、洗浄対象物６０が前記一方の電極１１０に保持されると、各接触部１１１が弾性変形し、前記洗浄対象物６０の内周面６２に圧接する状態となる。また、一方の電極１１０の中心は、該一方の電極１１０に保持される筒状の洗浄対象物６０の中心と一致した状態となる。
【００９３】
具体的には、前記一方の電極１１０は、前記筒状を有する洗浄対象物６０の高さ方向に沿って配置される軸部１１２を備え、前記複数の接触部１１１，１１１…は、前記軸部１１２から突出させて設けられる。該軸部１１２は、具体的には金属製の棒状体であり、弾性変形可能な接触部１１１に比べて容易に変形することがないような高い剛性を有する。前記軸部１１２は、その軸線Ｌが前記一方の電極１１０の中心部に位置するように配置される。また、前記軸部１１２は、前記洗浄対象物６０の高さ寸法よりも長く形成される。
【００９４】
次に、第二実施形態における一方の電極１１０の特徴的な構成について説明する。前記接触部１１１は、具体的には、弾性変形可能な線状体で構成され、接触部１１１は、中間部を前記軸部１１２から離間させた状態で両端部を前記軸部１１２に固定される。より具体的には、前記接触部１１１は、円弧状に湾曲する形状を有し、その中間部が前記洗浄対象物６０の内周面６２に沿うように接触する。
【００９５】
さらに、前記軸部１１２は、該軸部１１２の軸線方向に沿って相対変位可能な複数の軸部材１１３，１１４を備えて構成され、前記接触部１１１の両端部は、それぞれ異なる軸部材１１３，１１４に固定される。また、前記軸部１１２は、前記接触部１１１の両端部が固定される二つの軸部材間の距離（即ち、接触部１１１の両端部が固定される軸部材１１３，１１４同士の相対的な位置）を調節可能に構成される。具体的には、前記軸部１１２は、前記二つの軸部材１１３，１１４間の距離を調節する調節体１１５を備え、該調節体１１５は、前記接触部１１１の両端部が固定される二つの軸部材１１３，１１４が離間して各軸部材１１３，１１４間の距離が調節された設定距離より大きくなるのを規制する。前記調節体１１５は、前記接触部１１１の両端部が固定される二つの軸部材１１３，１１４のうちの一方における所定の固定位置で固定可能に構成され、前記所定の固定位置で該二つの軸部材１１３，１１４のうちの一方との間に保持する他方の軸部材と干渉する干渉部材である。
【００９６】
具体的には、前記軸部１１２は、前記複数の軸部材１１３，１１４として、軸本体１１３と一つ又は複数の可動体１１４，１１４とを備える。該可動体１１４は、前記軸本体１１３の長手方向に沿って変位可能に該軸本体１１３の長手方向端側に備えられている。より具体的には、前記軸本体１１３は、本体部１１３ａと、該本体部１１３ａの長手方向端部に設けられ該本体部１１３ａよりも細い細軸部１１３ｂとを備える。該細軸部１１３ｂにはネジ部位が形成され、該細軸部１１３ｂが前記可動体１１４に対してスライド可能に挿通されるとともに、前記可動体１１４に挿通されて長手方向端側に突出した部位に調節体１１５としてのナットが螺合される。さらに具体的には、前記可動体１１４は、前記軸本体１１３の長手方向両端側に二つ備えられている。
【００９７】
また、前記各接触部１１１は、その両端部が軸本体１１３と一対の可動体１１４，１１４のいずれか一方の可動体１１４とに固定される。例えば、ある接触部１１１は、一端部が左側の可動体１１４に固定され、他端側が軸本体１１３に固定される。また、他の接触部１１１は、一端部が軸本体１１３に固定され、他端側が右側の可動体１１４に固定される。ただし、一端部が左側の可動体１１４に固定され、他端側が右側の可動体１１４に固定されるものであってもよい。
【００９８】
ところで、前記可動体１１４は、前記調節体１１５（若しくは、前記干渉部材、即ち、ナット）と前記軸本体１１３の本体部１１３ａとの間で変位可能である。一方、前記軸本体１１３と調節体１１５とは、前記弾性変形可能な接触部１１１によって連結された状態である。従って、接触部１１１の自由状態（伸縮していない状態）よりも両端部間距離が小さくなるように前記調節体１１５と前記軸本体１１３の本体部１１３ａとを近接させると、接触部１１１の両端部間の距離が縮まるものの全長は一定であるため、中間部が前記軸部１１２から離間するように接触部１１１が変形する。この結果、前記複数の接触部１１１，１１１によって画定される仮想的な筒が拡径（若しくは、膨径）する。
【００９９】
第二実施形態における一方の電極１１０は、前記第一実施形態における一方の電極１０と同様の方法で前記洗浄対象物６０が装着される。ただし、前記第二実施形態における一方の電極１１０は、前記調節体１１５を調節して拡径させてから径方向に圧縮しつつ前記洗浄対象物６０に挿通するのでもよく、前記洗浄対象物６０を拡径させずに洗浄対象物６０に挿通した後、前記洗浄対象物６０の内周面６２に接触部１１１が接触するように拡径させるのでもよい。
【０１００】
＜第三実施形態＞
次に、本発明に係る電解洗浄装置の第三実施形態について説明する。
【０１０１】
第三実施形態に係る電解洗浄装置は、上記各実施形態に係る電解洗浄装置と同様に一対の電極を備えるものであるが、上記第一実施形態に係る電解洗浄装置とは、一対の電極のうち、洗浄対象物の内周側に配置されて該洗浄対象物と電気的に接続する一方の電極の構造が異なり、即ち、図１５〜図１７に示すような一方の電極２１０を備える。その一方、一対の電極のうちの他方の電極や洗浄可能な洗浄対象物などに関しては、基本的に各実施形態に係る電解洗浄装置と同様である。従って、以下では該一方の電極２１０について説明し、他の構成については説明を省略する。また、共通の構成要素については、同一符号を用いる。
【０１０２】
第三実施形態における一方の電極２１０は、上記各実施形態における一方の電極と同様に、前記洗浄対象物６０を保持して該洗浄対象物６０と電気的に接続する。また、前記一方の電極２１０は、前記洗浄対象物６０の内周側に配置される。そして、前記一方の電極２１０は、前記洗浄対象物６０に内周側から接触し、該洗浄対象物６０を直接保持するものである。さらに、前記一方の電極２１０は、前記洗浄対象物６０の内周面６２に圧接する。
【０１０３】
また、前記一方の電極２１０は、前記洗浄対象物６０の内周面６２に付勢状態で圧接する複数の接触部２１１，２１１…を備えて構成される。具体的には、各接触部２１１は、最も外方に位置する部位が所定の径の仮想的な筒の外周上に位置するように設けられる。即ち、前記複数の接触部２１１は、前記仮想的な筒の高さ方向に沿う中心線に沿い、且つ該中心線からの径方向距離が同等となるように配置される。
【０１０４】
また、前記仮想的な筒の径は前記筒状の洗浄対象物６０の内径以上に設定される。従って、洗浄対象物６０を一方の電極２１０に装着すると、前記一方の電極２１０は、前記洗浄対象物６０の中で径方向に圧縮された状態となる。このため、洗浄対象物６０が前記一方の電極２１０に保持されると、各接触部２１１が前記洗浄対象物６０の内周面６２に圧接する状態となる。また、一方の電極２１０の中心は、該一方の電極２１０に保持される筒状の洗浄対象物６０の中心と一致した状態となる。
【０１０５】
次に、第三実施形態における一方の電極２１０の特徴的な構成について説明する。前記一方の電極２１０は、前記洗浄対象物６０の径方向に拡径若しくは縮径するように伸縮する環状バネ体２１２を備える。また、該環状バネ体２１２の外周面には、前記接触部２１１として、径方向外方を向く弾性体が設けられる。
【０１０６】
具体的には、前記一方の電極２１０は、前記筒状を有する洗浄対象物６０の高さ方向に沿って配置される軸部２１３と、前記環状バネ体２１２の周方向一端側に固定され且つ前記軸部に対して相対変位不能に固定される一端側固定部２１４と、前記環状バネ体２１２の周方向他端側に固定され且つ前記軸部２１３の軸線Ｌを中心に前記軸部２１３と相対回転可能な他端側固定部２１５とを備え、前記一端側固定部２１４と他端側固定部２１５とが相対回転可能な状態と相対回転不能な状態とを切替可能に構成される。
【０１０７】
より具体的には、前記環状バネ体２１２は、前記軸線Ｌに沿って所定の長さを有する。前記一端側固定部２１４は、前記環状バネ体２１２の端部から突出するとともに、その突出部分が接続部２１６を介して前記軸部２１３と一体化される。また、前記一端側固定部２１４は、前記接続部２１６により所定の径方向位置において相対変位不能に固定される。そして、前記一端側固定部２１４は、前記環状バネ体２１２の径方向内方側に固定される。
【０１０８】
一方、前記他端側固定部２１５は、前記軸部２１３が内部に挿通された状態で該軸部２１３と相対回転可能に保持される管状体であり、前記環状バネ体２１２から軸線方向に沿って前記一端側固定部２１４とは反対方向に突出する。前記他端側固定部２１５は、その突出部分にフランジ状部位２１５ａを有し、該フランジ状部位２１５ａを回転操作可能に構成される。前記他端側固定部２１５は、前記軸部２１３に対して相対変位不能な部位（具体的には、前記接続部２１６）に当接可能に構成される。前記一方の電極２１０には、前記他端側固定部２１５を接続部２１６に押圧する押圧体２１７がさらに備えられる。
【０１０９】
具体的には、押圧体２１７は、前記他端側固定部２１５のフランジ状部位２１５ａを押圧し、該フランジ状部位２１５ａが押圧体２１７によって押圧されると、前記他端側固定部２１５が前記接続部２１６に圧接する。前記他端側固定部２１５のフランジ状部位２１５ａを回転操作して前記環状バネ体２１２を締め付けた上で、前記フランジ状部位２１５ａを押圧体２１７で圧接した場合、その状態から前記環状バネ体２１２が復元しようとすると、前記他端側固定部２１５と接続部２１６との間に摩擦力が作用し、前記他端側固定部２１５が一端側固定部２１４（即ち、前記軸部２１３）に対して相対回転不能となる。これにより、前記環状バネ体２１２が伸張した状態または収縮した状態が維持される。
【０１１０】
なお、具体的には、前記環状バネ体２１２は、複数層に重なるいわゆる渦巻バネである。ただし、環状バネ体は、これに限定されるものではなく、重複する部分を有さず、側面視一周に満たないものであってもよい。また、前記環状バネ体２１２の外周面に設けられる前記接触部２１１としての弾性体は、いわゆる円錐コイルバネである。そして、前記フランジ状部位２１５ａは、前記他端側固定部２１５の管状部分に固着された回転操作用ナットである。さらに、前記押圧体２１７は、前記軸部２１３に形成されたネジ部位に螺合する固定用ナットである。
【０１１１】
＜第四実施形態＞
次に、本発明に係る電解洗浄装置の第四実施形態について説明する。
【０１１２】
第四実施形態に係る電解洗浄装置は、上記各実施形態に係る電解洗浄装置と同様に一対の電極を備えるものであるが、上記各実施形態に係る電解洗浄装置とは、一対の電極のうち、洗浄対象物の内周側に配置されて該洗浄対象物と電気的に接続する一方の電極の構造が異なり、即ち、図１８及び図１９に示すような一方の電極３１０を備える。その一方、一対の電極のうちの他方の電極や洗浄可能な洗浄対象物などに関しては、基本的に各実施形態に係る電解洗浄装置と同様である。従って、以下では一方の電極３１０について説明し、他の構成については説明を省略する。また、共通の構成要素については、同一符号を用いる。
【０１１３】
第四実施形態における一方の電極３１０は、上記各実施形態における一方の電極と同様に、前記洗浄対象物６０を保持して該洗浄対象物６０と電気的に接続する。また、前記一方の電極３１０は、前記洗浄対象物６０の内周側に配置される。そして、前記一方の電極３１０は、前記洗浄対象物６０に内周側から接触し、該洗浄対象物６０を直接保持するものである。
【０１１４】
次に、第四実施形態における一方の電極３１０の特徴的な構成について説明する。該一方の電極３１０は、前記筒状の洗浄対象物６０の端縁部を支持する支持部３１５を二つ備える。該支持部３１５は、洗浄対象物６０を電源と電気的に接続する部位である。具体的には、前記一方の電極３１０は、前記筒状を有する洗浄対象物６０の高さ方向に沿って配置される軸部３１２をさらに備え、前記支持部３１５は、前記軸部３１２に保持される。
【０１１５】
前記支持部３１５は、前記一方の電極３１０の軸線Ｌを中心にして該軸線Ｌに沿って縮径しつつ突出する当接部位３１５ａを有する。また、前記二つの支持部３１５，３１５は、前記当接部位３１５ａ，３１５ａ同士を対向させた状態で配置される。具体的には、前記当接部位３１５ａは、様々な内径を有する洗浄対象物６０に広範囲に対応可能とするため、一定の角度で傾斜するテーパー状に形成される。また、前記当接部位３１５ａは、前記軸線Ｌに沿う一方側の面が平坦に形成され、円錐台形状を有する。そして、前記当接部位３１５ａの有する平坦面には、洗浄対象物６０の内部に電解洗浄液を流通させるために、一つ又は複数の孔３１５ｅが設けられる。
【０１１６】
さらに、前記支持部３１５は、前記当接部位３１５ａより基端側（即ち、前記当接部位の突出方向とは逆側）に基端部位３１５ｂを有し、該基端部位３１５ｂは、一定の径で形成される。
【０１１７】
また、前記支持部３１５は、当接部位３１５ａ，３１５ａ同士を対向させる表面側とは反対の裏面側に凹部３１５ｃを有する。該凹部は、前記当接部位３１５ａ及び基端部位３１５ｂの外形形状に対応して形成される。かかる凹部３１５ｃが形成されることにより、電解洗浄液は、孔３１５ｅを通して洗浄対象物６０の内部及び外部を効果的に循環することができる。また、前記支持部３１５は、前記軸部３１２が挿通される中心部分に、前記軸線Ｌに沿って延びる被挿通部３１５ｄが備えられる。また、前記基端部位３１５ｂの外周面には、絶縁体３１６が配置される。
【０１１８】
前記支持部３１５は、具体的には、金属製の部材であり、前記軸部３１２として設けられる金属製の棒状体に着脱可能に取り付けられる。具体的には、前記支持部３１５は、前記軸部３１２と螺合して固定される。より具体的には、前記軸部３１２の外周面にはネジ部位が形成され、且つ、前記支持部３１５の被挿通部３１５ｄにネジ部位が形成される。
これにより、洗浄対象物６０の高さに合わせて支持部３１５，３１５同士の距離を調節し、洗浄対象物６０をその両端側から確実に保持できる。
【０１１９】
このように、第四実施形態における一方の電極３１０は、少なくとも支持部３１５により、洗浄対象物６０を保持しつつ該洗浄対象物６０と電気的に接続することができるものである。ただし、例えば洗浄対象物６０の長さが長い場合などであっても洗浄対象物６０の全部位に亘って好適に通電することができるように構成される。
【０１２０】
具体的には、前記一方の電極３１０は、図１８に示すように、前記洗浄対象物６０の内周面６２に付勢状態で接触する複数の接触部３１１，３１１…を備えて構成される。各接触部３１１は、最も外方に位置する部位が所定の径の仮想的な筒の外周上に位置するように設けられる。即ち、前記複数の接触部３１１は、前記仮想的な筒の高さ方向に沿う中心線に沿い、且つ該中心線からの径方向距離が同等となるように配置される。
【０１２１】
ところで、前記接触部３１１は、洗浄対象物６０の高さ方向中間部において該洗浄対象物６０と電気的に接続する機能を主として有する。その一方、上述のとおり洗浄対象物６０は少なくとも支持部３１５によって保持されるため、前記接触部３１１は、洗浄対象物６０を保持する機能は必ずしも必要なく、洗浄対象物６０を保持するもの（例えば第一実施形態における接触部１１）に比べて、前記洗浄対象物６０の内周面６２に対して与える付勢力を弱く設定することができる。そのため、洗浄対象物６０を一方の電極３１０に対して着脱する作業は、例えば第一実施形態における一方の電極１０に対して着脱する場合と比較して、容易に行うことができる。
【０１２２】
また、前記仮想的な筒の径は前記筒状の洗浄対象物６０の内径以上に設定される。従って、洗浄対象物６０を一方の電極３１０に装着すると、前記一方の電極３１０は、前記洗浄対象物６０の中で径方向に圧縮された状態となる。このため、洗浄対象物６０が前記一方の電極３１０に保持されると、各接触部３１１が弾性変形し、前記洗浄対象物６０の内周面６２に圧接する状態となる。また、一方の電極３１０の中心は、該一方の電極３１０に保持される筒状の洗浄対象物６０の中心と一致した状態となる。
【０１２３】
具体的には、前記一方の電極３１０は、前記筒状を有する洗浄対象物６０の高さ方向に沿って配置される軸部３１２を備え、前記複数の接触部３１１，３１１…は、前記軸部３１２から突出させて設けられる。該軸部３１２は、具体的には金属製の棒状体であり、弾性変形可能な接触部３１１に比べて容易に変形することがないような高い剛性を有する。前記軸部３１２は、その軸線Ｌが前記一方の電極３１０の中心部に位置するように配置される。また、前記軸部３１２は、前記洗浄対象物６０の高さ寸法よりも長く形成される。
【０１２４】
前記接触部３１１は、前記洗浄対象物６０の内周面６２に接触する接触体３１３と、該接触体３１３を先端側で支持し基端側を前記軸部３１２に固定される弾性変形可能な支持体３１４とを備えて構成される。該接触体３１３は、少なくとも前記洗浄対象物６０の内周面６２と接触する部位が、前記洗浄対象物６０の内径よりも大きい曲率で湾曲する湾曲形状を有する。具体的には金属製の球状体である。
【０１２５】
また、前記各接触体３１３は、前記軸部３１２の軸線Ｌから径方向に同等の距離離間した位置に配置される。前記支持体３１４は、具体的には金属製の棒状体であり、前記軸部に比べて細く形成される。また、該支持体３１４は、前記軸部３１２から突出する態様で設けられる。
【０１２６】
具体的には、前記支持体３１４は、前記接触体３１３が配置される軸線方向位置とは異なる位置で前記軸部３１２に固定される。そして、前記支持体３１４は、中間部分が湾曲した形状を有する。
【０１２７】
＜第五実施形態＞
次に、本発明に係る電解洗浄装置の第五実施形態について説明する。
【０１２８】
第五実施形態に係る電解洗浄装置は、上記各実施形態に係る電解洗浄装置と同様に一対の電極を備えるものであるが、上記各実施形態に係る電解洗浄装置とは、一対の電極の構造及び電源と接続される構造が異なり、即ち、図２０及び図２１に示すような一対の電極４１０，４２０を備える。ただし、洗浄対象物などに関しては、基本的に上記各実施形態に係る電解洗浄装置と同様である。従って、以下では一対の電極の構造４１０，４２０及び電源と接続される構造について説明し、他の構成については説明を省略する。また、共通の構成要素については、同一符号を用いる。
【０１２９】
前記一対の電極４１０，４２０は、図２０に示すように、一方の電極４１０と他方の電極４２０とが一体的に連結可能に構成される。以下では、まず、図２１に基づいて、一方の電極４１０について説明する。
【０１３０】
第五実施形態における一方の電極４１０は、上記各実施形態における一方の電極と同様に、前記洗浄対象物６０を保持して該洗浄対象物６０と電気的に接続する。また、前記一方の電極４１０は、前記洗浄対象物６０の内周側に配置される。そして、前記一方の電極４１０は、前記洗浄対象物６０に内周側から接触し、該洗浄対象物６０を直接保持するものである。さらに、前記一方の電極４１０は、前記洗浄対象物６０の内周面６２に圧接する。
【０１３１】
また、前記一方の電極４１０は、前記洗浄対象物６０の内周面６２に付勢状態で圧接する複数の接触部４１１，４１１…を備えて構成される。具体的には、各接触部４１１は、最も外方に位置する部位が所定の径の仮想的な筒の外周上に位置するように設けられる。即ち、前記複数の接触部４１１は、前記仮想的な筒の高さ方向に沿う中心線に沿い、且つ該中心線からの径方向距離が同等となるように配置される。
【０１３２】
また、前記仮想的な筒の径は前記筒状の洗浄対象物６０の内径以上に設定される。従って、洗浄対象物６０を一方の電極４１０に装着すると、前記一方の電極４１０は、前記洗浄対象物６０の中で径方向に圧縮された状態となる。このため、洗浄対象物６０が前記一方の電極４１０に保持されると、各接触部４１０が弾性変形し、前記洗浄対象物６０の内周面６２に圧接する状態となる。また、一方の電極４１０の中心は、該一方の電極４１０に保持される筒状の洗浄対象物６０の中心と一致した状態となる。
【０１３３】
具体的には、前記一方の電極４１０は、前記筒状を有する洗浄対象物６０の高さ方向に沿って配置される軸部４１２を備え、前記複数の接触部４１１，４１１…は、前記軸部４１２から突出させて設けられる。該軸部４１２は、具体的には金属製の棒状体であり、弾性変形可能な接触部４１１に比べて容易に変形することがないような高い剛性を有する。前記軸部４１２は、その軸線Ｌが前記一方の電極４１０の中心部に位置するように配置される。また、前記軸部４１２は、前記洗浄対象物６０の高さ寸法よりも長く形成される。
【０１３４】
また、前記接触部４１１は、前記洗浄対象物６０の内周面６２に接触する接触体４１３と、該接触体４１３を先端側で支持し基端側を前記軸部４１２に固定される弾性変形可能な支持体４１４とを備えて構成される。該接触体４１３は、少なくとも前記洗浄対象物６０の内周面６２と接触する部位が、前記洗浄対象物６０の内径よりも大きい曲率で湾曲する湾曲形状を有する。具体的には金属製の球状体である。
【０１３５】
また、前記各接触体４１３，４１３…は、前記軸部４１２の軸線Ｌから径方向に同等の距離離間した位置に配置される。前記支持体４１４は、具体的には金属製の棒状体であり、前記軸部４１２に比べて細く形成される。また、該支持体４１４は、前記軸部４１２から突出する態様で設けられる。
【０１３６】
具体的には、前記支持体４１４は、前記接触体４１３が配置される軸線方向位置とは異なる位置で前記軸部４１２に固定される。そして、前記支持体４１４は、直線状を有し、前記軸部４１２から傾斜して設けられる。
【０１３７】
次に、第五実施形態における一方の電極４１０の特徴的な構成について説明する。前記一方の電極４１０は、該一方の電極４１０を前記電源と接続する電源接続部４３０と一体的に設けられ、前記一方の電極４１０と電源接続部４３０とは、一体的となって一つの電極装置（以下、一方の電極装置）４７０を構成する。
【０１３８】
前記電源接続部４３０は、前記一方の電極４１０に対して複数設けられ、具体的には、前記一方の電極４１０の両端側にそれぞれ配置される。また、前記一方の電極装置４７０は、電源接続部４３０をそれぞれ有する二つの電極装置要素４７１，４７２を備え、これら二つの電極装置要素４７１，４７２は、電解洗浄の際には結合可能であり、洗浄対象物を着脱する際には分離可能である。具体的には、前記二つの電源接続部４３０，４３０のうち一方の電極４１０の一端側に配置される電源接続部４３０は、前記一方の電極４１０の一端部に対して着脱可能に取り付けられ、前記一方の電極４１０の他端側に配置される電源接続部４３０は、前記一方の電極４１０の他端部に一体化された状態で設けられる。
【０１３９】
そして、前記一方の電極４１０と、該一方の電極４１０の一端側に配置される電源接続部４３０とは、螺合して固定される。具体的には、前記軸部４１２は、内周面６２にネジ部位が形成された連結孔４１２ａを有し、且つ、前記電源接続部４３０は、前記軸部４１２の連結孔４１２ａに挿入可能であるとともにネジ部位が形成された突出部４３１を有する。
【０１４０】
前記電源接続部４３０は、電源と適当な電気コード等を用いて接続される端子部４３２と、該端子部４３２と前記一方の電極４１０とを接続する導電部４３３とを備える。ところで、前記端子部４３２は、電解洗浄液よりも上方位置に配置される。一方、前記一方の電極４１０は、電解洗浄液に浸漬される位置（即ち、液面より下方の位置）に配置される。このため、前記導電部４３３は、長尺に形成される。なお、前記電源接続部４３０は、導電部４３３のうち少なくとも前記電解洗浄液に浸漬される部分を絶縁性素材（図示しない）で被膜される。
【０１４１】
次に、第五実施形態における他方の電極４２０について説明する。該他方の電極４２０は、上記各実施形態における他方の電極と同様に、洗浄対象部位６１と間隔をあけて対向するように配置される。また、前記他方の電極４２０は、前記洗浄対象物６０を囲むように配置される。
【０１４２】
具体的には、前記他方の電極４２０は、前記洗浄対象物６０を全周に亘って囲むように設けられる。また、図２０に示すように、前記他方の電極４２０は、前記筒状の洗浄対象物６０を収容する収容空間Ｓを有し、該収容空間Ｓは、前記筒状の洗浄対象物６０に対応して筒状に画定される。具体的には、該他方の電極４２０は、前記筒状の収容空間Ｓが前記一方の電極４１０と同心となるように配置される。従って、他方の電極４２０は、前記収容空間Ｓが前記一方の電極４１０の軸部４１２と同心となるように配置され、該一方の電極４１０に保持される筒状の洗浄対象物６０とも同心となるように配置されることとなる。
【０１４３】
次に、第五実施形態における他方の電極４２０の特徴的な構成について、図２０を用いて説明する。該他方の電極４２０は、前記洗浄対象部位６１と間隔をあけて配置され、且つ、前記洗浄対象部位６１と対向するように配置される。また、前記他方の電極４２０は、前記洗浄対象物６０を囲むように配置される。そして、前記他方の電極４２０は、前記一方の電極４１０に保持される洗浄対象物６０を該洗浄対象物６０の高さ方向全長に亘って包囲するように構成される。また、該他方の電極４２０には、内周側と外周側とを連通する空間部４２１が形成される。具体的には、前記他方の電極４２０は、メッシュ状（網目状）の部材を用いて構成される。これにより、電解洗浄液を出入りさせることが可能となるとともに、電解洗浄によって発生した気体を逃がすことが可能となる。
【０１４４】
また、前記他方の電極４２０は、前記一方の電極４１０の場合と同様に、該他方の電極４２０を前記電源と接続する電源接続部４４０と一体的に設けられ、前記他方の電極４２０と電源接続部４４０とは、一体的となって一つの電極装置（他方の電極装置）４８０を構成する。
【０１４５】
前記電源接続部４４０は、前記他方の電極４２０に対して複数設けられ、具体的には、前記他方の電極４２０の両端側にそれぞれ配置される。また、前記他方の電極装置４８０は、電源接続部４４０をそれぞれ有する二つの電極装置要素４８１，４８２を備え、これら二つの電極装置要素４８１，４８２は、電解洗浄の際には結合可能であり、洗浄対象物を着脱する際には分離可能である。具体的には、前記二つの電源接続部４４０，４４０のうち他方の電極４２０の一端側に配置される電源接続部４４０は、前記他方の電極４２０の一端部に対して着脱可能に取り付けられ、前記他方の電極４２０の他端側に配置される電源接続部４３０は、前記他方の電極４２０の他端部に一体化された状態で設けられる。
【０１４６】
前記電源接続部４４０は、電源と適当な電気コード等を用いて接続される端子部４４２と、該端子部４４２と前記他方の電極４２０とを接続する導電部４４３とを備える。ところで、前記端子部４４２は、電解洗浄液よりも上方位置に配置される。一方、前記他方の電極４２０は、電解洗浄液に浸漬される位置（即ち、液面より下方の位置）に配置される。このため、前記導電部４４３は、長尺に形成される。なお、前記電源接続部４４０は、導電部４４３のうち少なくとも前記電解洗浄液に浸漬される部分を絶縁性素材（図示しない）で被膜される。
【０１４７】
ところで、第五実施形態に係る電解洗浄装置では、上述したように、前記一方の電極装置４７０と他方の電極装置４８０とが一体的に連結可能に構成される。このため、前記一方の電極４１０と他方の電極４２０、及び、前記一方の電極４１０の電源接続部４３０と他方の電極４２０の電源接続部４４０とが絶縁されるように構成される。
【０１４８】
具体的には、前記一方の電極装置４７０と他方の電極装置４８０との間には、絶縁体が配置される。より具体的には、前記一方の電極装置４７０は、前記一方の電極４１０と該一方の電極４１０の電源接続部４３０との間に配置される絶縁性の板状部４７３を備える。該板状部４７３は、前記一方の電極４１０の軸線方向に直交して設けられ、前記筒状を有する他方の電極４２０の端縁部よりも大きく形成される。
【０１４９】
さらに、前記一方の電極装置４７０のうちの一方の電極装置要素４７１と他方の電極装置４８０のうちの一方の電極装置要素４８３とは、一体的に組み合わせてアセンブリ４９０として用いることができる。具体的には、該アセンブリ４９０は、一方の電極装置４７０のうちの一方の電源接続部４３０と、他方の電極装置４８０のうちの一方の電源接続部４４０とで構成され、さらに、各電源接続部４３０，４４０の間には、前記絶縁性の板状部４７３が配置される。
【０１５０】
かかる電解洗浄装置を用いて電解洗浄を行うには、まず、一方の電極装置４７０の前記他方の電極装置要素４７２に洗浄対象物６０を装着し、次に、これに対して前記他方の電極装置４８０の他方の電極装置要素４８２を装着し、最後に前記アセンブリ４９０を一方の電極装置４７０前記他方の電極装置要素４８２と結合させる。また、電解洗浄の終了後は、上記と逆の手順で分解する。
【０１５１】
＜第六実施形態＞
次に、本発明に係る電解洗浄装置の第六実施形態について説明する。
【０１５２】
第六実施形態に係る電解洗浄装置は、上記各実施形態に係る電解洗浄装置と同様に一対の電極を備えるものであるが、上記各実施形態に係る電解洗浄装置とは、一対の電極のうち、洗浄対象物の内周側に配置されて該洗浄対象物と電気的に接続する一方の電極の構造が異なり、即ち、図２２及び図２３に示すような一方の電極５１０を備える。その一方、一対の電極のうちの他方の電極や洗浄可能な洗浄対象物などに関しては、基本的に第一〜第四実施形態に係る電解洗浄装置と同様である。従って、以下では一方の電極５１０について説明し、他の構成については説明を省略する。また、共通の構成要素については、同一符号を用いる。
【０１５３】
第六実施形態における一方の電極５１０は、上記第一〜第四実施形態における一方の電極と同様に、前記洗浄対象物６０を保持して該洗浄対象物６０と電気的に接続する。また、前記一方の電極５１０は、前記洗浄対象物６０の内周側に配置される。
【０１５４】
具体的には、前記一方の電極５１０は、前記洗浄対象物６０の高さ方向に沿って配置される軸部５１２を備え、前記洗浄対象物６０の内部に充填される複数の導電体５１３，５１３…によって前記軸部５１２と前記洗浄対象物６０とが電気的に接続される。
【０１５５】
また、前記一方の電極５１０は、前記複数の導電体５１３，５１３…が前記洗浄対象物６０の内部から脱落するのを防止する脱落防止部５１４を備える。具体的には、前記脱落防止部５１４は、前記洗浄対象物６０の両端開口部の位置に対応して、前記軸部５１２に一対設けられる。より具体的には、前記脱落防止部５１４は、板状を有し、前記洗浄対象物６０の両端開口部の大きさと同一若しくは該両端開口部より大きく形成される。
【０１５６】
前記一対の脱落防止部５１４，５１４のうち少なくとも一方は、前記軸部５１２に対して着脱可能に設けられる。具体的には、前記脱落防止部５１４は、前記軸部５１２と螺合して固定される。より具体的には、前記軸部５１２の外周面にはネジ部位が形成され、且つ、前記脱落防止部５１４は前記軸部５１２に挿通可能であるとともにその挿通部分にネジ部位が形成される。また、前記脱落防止部５１４は、少なくとも前記洗浄対象物６０の両端開口部と接触する部位が絶縁性を有する。
【０１５７】
具体的には、前記一方の電極５１０は、前記軸部５１２から径方向外方に突出する一つ又は複数の突出部５１１を有する。該突出部５１１は、前記洗浄対象物６０の内部に充填された複数の導電体５１３，５１３…が偏ることのないよう前記洗浄対象物６０の内部を仕切るものである。また、前記突出部５１１は、板状を有し、該板状の突出部５１１は、前記軸部５１２の軸線方向に沿って前記筒状を有する洗浄対象物６０の高さ寸法以下の長さを有する。具体的には、前記突出部５１１は、所定の角度ごとに設けられ、例えば４５度ごとに８個設けられる。また、各突出部５１１は、それぞれ同一の径方向寸法を有し、具体的には、前記軸部５１２の中心からの径方向寸法が前記洗浄対象物６０の内周の半径以下に設定される。なお、複数の突出部５１１によって、前記洗浄対象物６０の内部には複数の収容部５１５，５１５…が画定されることとなる。
【０１５８】
なお、前記径方向寸法が前記洗浄対象物６０の内周より小さい場合には、前記一方の電極５１０は、複数の導電体５１３，５１３…を介して間接的に前記洗浄対象物６０を保持するものとなり、また、前記軸部５１２及び突出部５１１が前記洗浄対象物６０と複数の導電体５１３，５１３…を介して間接に電気的に接続することとなる。一方、前記径方向寸法が前記洗浄対象物６０の内径と一致する場合には、前記一方の電極５１０は、前記洗浄対象物６０に内周側から接触し、該洗浄対象物６０を直接保持するものとなり、前記突出部５１１が前記洗浄対象物６０と直接に電気的に接続することとなる。
【０１５９】
前記導電体５１３は、金属球であり、具体的には、直径約３ｍｍに設定される。また、前記複数の導電体５１３，５１３…は、前記洗浄対象物６０の内部に隙間なく密に充填される。なお、図２２では、一方の電極５１０の構造を分かりやすくするために、一つの収容部５１５の一部のみに導電体５１３を表示している。
【０１６０】
以上のように、上記各実施形態に係る電解洗浄装置によれば、筒状の洗浄対象物であっても、洗浄対象部位を損傷させることなく好適に電解洗浄を行うことができる。
【０１６１】
即ち、上記各実施形態に係る電解洗浄装置によれば、前記一方の電極が前記洗浄対象物を保持し、且つ、他方の電極が前記洗浄対象部位と間隔をあけて配置されるため、洗浄対象部位に電極などを直接接触させることなく電解洗浄を行うことができる。
【０１６２】
また、例えば上記第一〜第五実施形態では、前記一方の電極が前記洗浄対象物に内周側から接触する。従って、洗浄対象物の外周側の洗浄対象部位に前記一方の電極を接触させないようにしつつも、確実に前記洗浄対象物と電気的に接続することができる。
【０１６３】
また、例えば上記第一〜第五実施形態では、前記一方の電極は、前記洗浄対象物の内周面に付勢状態で圧接する複数の接触部を備えて構成される。このようにすれば、洗浄対象物が複数箇所において電気的に接続されるため、電流分布を均一にすることができ、洗浄むらの発生を好適に抑制することができる。加えて、前記一方の電極と該洗浄対象物との接触面積が小さいと電流が極小面積に集中するために、過電流によって洗浄対象物を損傷してしまいかねないが、洗浄対象物を複数箇所において電気的に接続させることで、このような問題も発生しない。
【０１６４】
また、例えば上記第一、第二、第四、第五実施形態では、前記一方の電極が前記筒状の洗浄対象物の高さ方向に沿って配置される軸部を備え、前記複数の接触部は、前記軸部から突出させて設けられる。従って、上述のような複数の接触部を有する一方の電極を容易に作製することができる。
【０１６５】
また、例えば上記第一、第四、第五実施形態では、前記接触体は、少なくとも前記洗浄対象物の内周面と接触する部位が、前記洗浄対象物の内径よりも大きい曲率で湾曲する湾曲形状を有する。従って、前記接触体と洗浄対象物の内周面とが沿う状態となるため、電流が局所的に流れるのを好適に防止することができる。
【０１６６】
また、上記各実施形態では、前記軸部が前記洗浄対象物の中心部に配置される。このようにすれば、前記軸部と洗浄対象物の内周面との距離が一定となる。従って、例えば上記第一、第四、第五実施形態では、前記各接触体の弾性変形による付勢力を前記洗浄対象物の内周面に対して略均一に作用させることができる。
【０１６７】
また、例えば上記第一〜第四及び第六実施形態では、前記一方の電極が前記軸部の軸線方向両端部を電極支持部材に着脱可能に支持される。従って、電解洗浄の際に前記洗浄対象物を一方の電極に装着してから電極支持部材に設置し、電解洗浄の完了後に前記洗浄対象物を一方の電極ごと電極支持部材から取り外せばよい。従って、洗浄対象物を一方の電極に対して着脱する作業を容易に行うことができる。
【０１６８】
また、上記各実施形態では、前記他方の電極が前記洗浄対象物を囲むように配置される。従って、他方の電極と洗浄対象部位とが広い範囲に亘って対向する状態となるため、電解洗浄を効率よく行うことができる。
【０１６９】
また、例えば上記第一〜第四及び第六実施形態では、前記全周における所定の領域を開放可能に構成される。従って、他方の電極の開放された部分から前記洗浄対象物を出し入れすることができ、洗浄対象物を電解洗浄装置に容易にセットすることができる。
【０１７０】
また、上記各実施形態では、前記他方の電極が前記洗浄対象物と同心に配置される。従って、洗浄対象物と前記他方の電極との距離が一定となるため、洗浄対象物の部位ごとの通電量が略均一となり、洗浄むらの発生を抑制することができる。
【０１７１】
また、例えば上記第一〜第四及び第六実施形態では、前記他方の電極が前記洗浄対象物を囲む周方向において複数の電極部に分けて設けられ、且つ、前記洗浄対象物を囲む周方向における所定の箇所を中心に開閉可能に構成される。従って、前記洗浄対象物を他方の電極に対して着脱する際には、他方の電極を開放し、該開放された部分から前記洗浄対象物を出し入れすればよいため、洗浄対象物を電解洗浄装置に容易にセットすることができる。
【０１７２】
また、例えば上記第一〜第四及び第六実施形態では、前記他方の電極が鉛直方向上方側及び下方側の二つの電極部を備え、該二つの電極部のうちの上方側の電極部が回転可能に設けられる。ここで、電解洗浄装置では電解洗浄液が用いられるため、前記洗浄対象物を他方の電極に対して着脱する作業は、他方の電極より上方から行われることになる。従って、鉛直方向上方側の電極部を開放するようにすれば、前記洗浄対象物の着脱作業の作業性を向上させることができる。
【０１７３】
また、例えば上記第一〜第四及び第六実施形態では、前記他方の電極が前記洗浄対象物の洗浄対象部位に対向して配置される複数の電極部材と、該複数の電極部材を着脱可能に支持するフレーム部材とを備えて構成される。従って、洗浄対象物のサイズに合わせて電極部材を交換したり、電極部材が損傷した場合等に交換したりすることが容易となる。
【０１７４】
また、このような他方の電極では、前記フレーム部材は、前記全周における所定の箇所に設けられるヒンジ部で連結される複数のフレーム体によって構成される。従って、前記洗浄対象物を電解洗浄装置に容易にセットすべく他方の電極の全周における所定の領域を開放する際には、支持フレームを操作すればよく、洗浄対象物を電解洗浄装置により容易にセットすることができる。
【０１７５】
また、例えば上記第一〜第四及び第六実施形態では、前記電極部材が前記洗浄対象物の洗浄対象部位からの距離を調節可能に前記フレーム部材に取り付けられる。従って、円筒状の洗浄対象物の径方向のサイズに応じて前記洗浄対象部位からの距離を調整でき、様々なサイズの洗浄対象物を好適に洗浄することができる。
【０１７６】
また、例えば上記第一〜第四及び第六実施形態では、前記電極部材が湾曲した板状を有する電極体を備え、該電極体には、両面間を連通する空間部が形成される。従って、電解洗浄の際に発生する気体が前記貫通孔を通って抜けるため、電極体より鉛直方向下方で発生したとしても、上昇してきた気体を該電極体が溜めてしまうことなくことなく好適に逃がすことができる。
【０１７７】
また、上記各実施形態に係る電解洗浄装置は、前記電解洗浄液を超音波振動させる超音波発生器を備える。従って、電解洗浄液が超音波振動することにより洗浄対象物に付着した汚れの剥離を促進することができる。
【０１７８】
また、上記各実施形態に係る電解洗浄装置は、前記電解洗浄液を洗浄槽から排出し、夾雑物を除去し、再度洗浄槽内に投入する循環機構を備える。従って、電解洗浄液を常時清浄な状態に維持することができ、電解洗浄を効果的に行うことができる。
【０１７９】
具体的には、電解洗浄の際に電解洗浄液が洗浄対象部位に円滑に供給されないと、電解が正常に行われず、洗浄対象部位を損傷させてしまう事態が発生し得る（このような現象は、一般にアルカリ焼けとも呼ばれる）。こういった事態は、例えば他方の電極と洗浄対象部位とが近すぎた場合などに電解ガスが大量に発生し、電解洗浄液がガスに阻まれて洗浄対象部位に到達できない場合や、電解洗浄によって消耗した電解洗浄液が洗浄対象部位で滞留してしまう場合に発生し得るものである。この点、上述のように電解洗浄液を循環させるようにすれば、洗浄対象部位には清浄な電解洗浄液を常時供給することができるため、このような事態の発生を防止することができる。
【０１８０】
また、上記各実施形態に係る電解洗浄装置は、前記電解洗浄液を加熱する加熱装置を備える。従って、電解洗浄液の温度を上昇させると通電量が増加するため、電解洗浄を活性化することができる。また、電解洗浄液の温度を上昇させると洗浄対象物に付着した汚れの膨潤を促進させることができる。従って、洗浄をより効果的に行うことができる。
【０１８１】
なお、本発明に係る電解洗浄装置は、上記実施形態に限定されるものではなく、本発明の要旨を逸脱しない範囲で種々の変更が可能である。具体例を以下に例示する。
【０１８２】
上記各実施形態に係る電解洗浄装置の説明において用いた図面は例示に過ぎず、各構成要素のサイズや設けられる個数等は、洗浄対象物のサイズや電解洗浄の実施条件等によって適宜変更することができる。一例を挙げると、前記洗浄対象物が長いものの場合には、接触部をより多く設けたものであってもよい。また、前記洗浄対象物の径が大きいものの場合には、接触部が洗浄対象物の内周面に確実に接触し得るように、前記一方の電極の軸部が太く形成されるものであってもよく、接触部を構成する前記支持体が長く形成されるものであってもよく、その両方であってもよい。
【０１８３】
上記各実施形態に係る電解洗浄装置の一対の電極は、電解洗浄装置に静止状態で配置されるものであったが、適当な駆動機構により回転可能に構成されるものであってもよい。このようにすれば、電解洗浄液を撹拌し、電極や洗浄対象物の洗浄対象部位に発生し得る気体を効率的に除去することができる。この場合、一方の電極のみが駆動操作されるもの、又は、他方の電極のみが駆動操作されるものでもよく、両方の電極のみがそれぞれ駆動操作されるものでもよい。さらに、かかる駆動操作は、手動又は自動で切替可能であることが好ましい。
【０１８４】
上記各実施形態に係る電解洗浄装置では、一方の電極は単独で用いられるものであったが、第一〜第四及び第六実施形態に係る電解洗浄装置では、一方の電極を複数直列的に連結して用いるものであってもよい。このようにすれば、軸線方向に沿う高さ寸法のある長い洗浄対象物を好適に洗浄することができる。
【０１８５】
上記第一、第四、第五実施形態に係る電解洗浄装置では、前記接触部は、前記洗浄対象物の内周面に接触する接触体と、該接触体を先端側で支持し基端側を前記軸部に固定される弾性変形可能な支持体とを備えて構成されるものとして説明したが、これに限定されず、例えば弾性変形可能な棒状体によって構成されるものであってもよい。
【０１８６】
さらに、前記接触部１１も、上述のものに限定されず、図２４の各図に示すような形状のものであってもよい。例えば、前記接触体１３は、球状を有するものとして説明したが、これに限定されず、図２４（Ａ）〜（Ｆ）の各図に示すようなものであってもよい。同様に、前記支持体１４も、図２４（Ｇ）〜（Ｋ）の各図に示すようなものであってもよい。
【０１８７】
上記第一実施形態に係る電解洗浄装置では、前記接触体は、付勢体としてのコイルバネによって支持され、前記付勢体は、前記軸部に固定される台座に保持されるものであったが、さらに、前記接触体又は台座のいずれか一方に突起部が設けられるとともに、他方に該突起部をスライド可能に保持するガイド孔が形成され、接触体が付勢体の伸縮方向に沿ってガイドされるものであってもよい。具体的には、図２５に示す接触部１１’では、接触体１３’としての金属球に前記突起部１７が設けられ、該突起部１７が台座１６’に形成されたガイド孔１６’ａに保持されている。
【０１８８】
上記第一実施形態に係る電解洗浄装置では、前記接触部は、第一の弾性支持体としての前記支持体と、第二の弾性支持体としての前記付勢体を備えるものであったが、これに限定されず、前記支持体を設けることなく、接触体を先端側で支持し基端側を前記軸部に固定される弾性変形可能な支持体として、前記付勢体のみが設けられるものであってもよい。この場合には、前記付勢体が前記接触体と軸部とを電気的に接続する。
【０１８９】
上記第二実施形態に係る電解洗浄装置では、前記一方の電極の接触部は、具体的には、弾性変形可能な線状体で構成されるものとして説明したが、これに限定されるものではない。例えば、図２６に示すように、前記一方の電極１１０’の接触部１１１’は、前記洗浄対象物の内周面に接触する接触体１１６をさらに備えるものであってもよい。即ち、前記接触部１１１’は、前記洗浄対象物の内周面に接触する接触体１１６と、該接触体１１６を先端側で支持し基端側を前記軸部１１２’に固定される弾性変形可能な支持体１１７とを備えるものである。該接触体１１６は、前記線状体の中間部に取り付けられる。また、前記調節体１１５’として、蝶ナットが用いられる。
【０１９０】
上記第三実施形態に係る電解洗浄装置では、前記環状バネ体２１２が伸張した状態または収縮した状態を維持する方法として摩擦力を用いるものであったが、これに限定されるものではなく、前記他端側固定部と前記軸部に対して相対変位不能な部位との間に係止機構を設けるものであってもよい。該係止機構としては、例えば、前記他端側固定部及び前記相対変位不能な部位のいずれか一方に係合部が設けられ、前記他方に係合部を係止する係止部が設けられるものが考えられる。
【０１９１】
上記第六実施形態に係る電解洗浄装置は、一方の電極が突出部を有するものであったが、図２７に示す一方の電極５１０’のように、軸部５１２’を有するものの、前記突出部を備えておらず、複数の導電体５１３，５１３…を介して間接的に前記洗浄対象物６０を保持するものであってもよい。
【０１９２】
上記第六実施形態に係る電解洗浄装置では、前記脱落防止部が少なくとも前記洗浄対象物の両端開口部と接触する部位が絶縁性を有するものとして説明したが、前記洗浄対象物の両端開口部と接触する部位が導電性を有するものとし、即ち、脱落防止部を電極の一部として機能させるものであってもよい。さらに、前記脱落防止部は、前記洗浄対象物の両端開口部の大きさと同一若しくは該両端開口部より大きく形成されるものであったが、複数の導電体が前記洗浄対象物の内部から脱落するのを防止できるものであれば、前記洗浄対象物の両端開口部の大きさより小さく形成されるものであってもよい。例えば、前記洗浄対象物の両端開口部と脱落防止部との隙間が前記導電体のサイズよりも小さければよい。
【０１９３】
上記第六実施形態に係る電解洗浄装置では、脱落防止部に導電体を投入又は取出し可能な孔が形成されるものであってもよい。好ましくは、前記孔が閉塞可能に設けられ、例えば、前記孔の内周面にネジ部位が形成され、該孔にネジ部材を螺合可能とされる。
【０１９４】
上記第六実施形態に係る電解洗浄装置では、前記一方の電極が前記洗浄対象物と電気的に接続するのに少なくとも複数の導電体が介在するものであったが、前記突出部の径方向寸法が洗浄対象物の内周と一致するように構成される場合には、前記複数の導電体を用いることなく、かかる一方の電極のみで前記洗浄対象物と電気的に接続するものであってもよい。
【０１９５】
上記第一〜第四及び第六実施形態に係る電解洗浄装置では、前記他方の電極の電極部材のうち上方に位置する電極部材が水平方向に沿って配置されるものであったが、これに限定されるものではなく、上方に位置する電極部材が水平方向に対して傾斜して配置されるものであってもよい。このようにすれば、電極部材より鉛直方向下方で気体が発生したとしても、上昇してきた気体を該電極部材が上方に案内する態様で好適に逃がすことができる。
【０１９６】
上記第一〜第四及び第六実施形態に係る電解洗浄装置では、前記他方の電極の調節機構は、ボルトと二つのナットとを用いて構成されるものであったが、これに限定されるものではなく、前記フレーム体の内側に配置されるナットの代わりにスペーサを用いるものであってもよい。該スペーサは、電極部材とフレーム体との距離に対応して予め設定された長さを有するものであり、電極部材とフレーム体との間に挟んだ状態でフレーム体の外側に配置されるナットを締め付けることにより、前記洗浄対象物を収容する収容空間の大きさを容易に調節することができる。
【０１９７】
上記各実施形態に係る電解洗浄装置では、前記他方の電極は、前記洗浄対象物６０を囲むように（具体的には、前記洗浄対象物６０を全周に亘って囲むように）配置されるものであったが、本発明に係る電解洗浄装置は、一対の電極のうちの他方の電極が前記洗浄対象部位の少なくとも一部と間隔をあけて対向するように配置されることによって目的とする作用効果を奏することができるため、例えば、他方の電極が前記洗浄対象部位の一部のみと対向するように配置されるものであってもよい。このような構成であっても、洗浄対象部位のうち他方の電極と対向する部分を電解洗浄することができる。
【０１９８】
従って、前記他方の電極は、前記洗浄対象物を囲む全周のうち少なくとも一部の領域を開放して構成されるものであってもよい。このような他方の電極であれば、前記洗浄対象物を他方の電極に対して着脱する際には、他方の電極を開放する操作等を特に行うことなく、開放されている部分から前記洗浄対象物を出し入れすればよいため、洗浄対象物を電解洗浄装置に容易にセットすることができる。
【０１９９】
なお、前記他方の電極が前記洗浄対象部位の一部と間隔をあけて対向するように配置されるものや、前記洗浄対象物を囲む全周のうち少なくとも一部の領域を開放して構成されるものである場合には、洗浄対象物を洗浄対象部位の全周に亘って均一に電解洗浄するために、上述したように、一対の電極が駆動機構により回転可能に構成されるものであることが特に好ましい。
【図面の簡単な説明】
【０２００】
【図１】本発明の第一実施形態に係る電解洗浄装置の全体図を示す。
【図２】同実施形態に係る電解洗浄装置の電極の斜視図を示す。
【図３】同実施形態に係る電解洗浄装置の洗浄対象物の斜視図を示す。
【図４】同実施形態に係る電解洗浄装置の一対の電極のうちの一方の電極の斜視図を示す。
【図５】同実施形態に係る電解洗浄装置の一方の電極の側面図を示す。
【図６】同実施形態に係る電解洗浄装置の一方の電極を電極支持部材に支持させた状態の斜視図を示す。
【図７】同実施形態に係る電解洗浄装置の一方の電極を支持する電極支持部材の斜視図を示す。
【図８】同実施形態に係る電解洗浄装置の一対の電極のうちの他方の電極の斜視図を示す。
【図９】同実施形態に係る電解洗浄装置の他方の電極の側面図を示す。
【図１０】同実施形態に係る電解洗浄装置の他方の電極の全周における所定の領域を開放した状態の斜視図を示す。
【図１１】同実施形態に係る電解洗浄装置の他方の電極の全周における所定の領域を開放した状態の側面図を示す。
【図１２】同実施形態に係る電解洗浄装置の他方の電極の側面図を示し、（Ａ）は収容空間を広げた場合、（Ｂ）は収容空間を狭めた場合を示す。
【図１３】同実施形態に係る電解洗浄装置の他方の電極を支持する電極支持部材の斜視図を示し、（Ａ）は上方側の電極部に対応する第１の導電部材、（Ｂ）は下方側の電極部に対応する第２の導電部材を示す。
【図１４】本発明の第二実施形態に係る電解洗浄装置の電極を示す図であって、（Ａ）は、全体図を示し、（Ｂ）は、分解正面図を示す。
【図１５】本発明の第三実施形態に係る電解洗浄装置の一対の電極のうちの一方の電極の斜視図を示す。
【図１６】同実施形態に係る電解洗浄装置の一方の電極の正面図を示す。
【図１７】同実施形態に係る電解洗浄装置の一方の電極の側面図を示す。
【図１８】本発明の第四実施形態に係る電解洗浄装置の一対の電極のうちの一方の電極の正面図を示す。
【図１９】同実施形態に係る電解洗浄装置の一方の電極の支持部を示し、（Ａ）は断面側面図を示し、（Ｂ）は正面図を示す。
【図２０】本発明の第五実施形態に係る電解洗浄装置の一対の電極装置の分解斜視図を示す。
【図２１】（Ａ）は、同実施形態に係る電解洗浄装置の一対の電極装置のうちの一方の電極装置の分解斜視図を示し、（Ｂ）は、一方の電極装置に洗浄対象物を装着した状態の分解斜視図を示す。
【図２２】本発明の第六実施形態に係る電解洗浄装置の一対の電極装置のうちの一方の電極の分解斜視図を示す。
【図２３】同実施形態に係る電解洗浄装置の一方の電極の収容部に複数の導電体が充填された状態の断面図を示す。
【図２４】本発明の他の実施形態に係る電解洗浄装置の一対の電極のうちの一方の電極に用いられる接触部の変形例を示す図であって、（Ａ）〜（Ｆ）は斜視図を示し、（Ｇ）〜（Ｋ）は正面図を示す。
【図２５】本発明の他の実施形態に係る電解洗浄装置の一対の電極のうちの一方の電極に用いられる接触体の変形例の全体図を示す。
【図２６】本発明の第二実施形態に係る電解洗浄装置の一方の電極の変形例の全体図を示す。
【図２７】本発明の第六実施形態に係る電解洗浄装置の一方の電極の変形例の分解斜視図を示す。
【符号の説明】
【０２０１】
１…筐体、２…洗浄槽、２ａ…排出部、３…電極、４…電気コード、５…電気コード、６…オーバーフロー槽、７…超音波発生器、１０…一方の電極、１１…接触部、１２…軸部、１３…接触体、１４…支持体、１４ａ…縦部位、１４ｂ…横部位、１５…付勢体、１６…台座、１１’…接触部、１３’…接触体、１５’…付勢体、１６’…台座、１６’…ガイド孔、１７…突起部、２０…他方の電極、２２…電極部、２３…電極部、２４ａ…電極体、２４ｂ…保持体、２４ｃ…溝、２４ｄ…空間部、２５…フレーム部材、２５ａ…平坦部、２６…フレーム体、２７…フレーム体、２８…ヒンジ部、２９…電極部材、２９ａ…ボルト、２９ｂ…ナット、２９ｃ…ナット、３０…電極支持部材、３１…固定部、３２…保持部、３３…本体部、３４…絶縁性素材、３５…脱落防止部、４０…導電部材、４１…端子部、４２…フレーム接触部、４３…接続部、４５…導電部材、４６…端子部、４７…フレーム接触部、４８…接続部、４８ａ…延出部位、４８ｂ…立ち上がり部位、６０…洗浄対象物、６１…洗浄対象部位、６２…内周面、６２…洗浄対象物、６２…内周面、１１０…一方の電極、１１１…接触部、１１２…軸部、１１３…軸本体、１１３ａ…本体部、１１３ｂ…細軸部、１１４…可動体、１１５…調節体、１１１’…接触部、１１２’…軸部、１１３’…軸本体、１１４’…可動体、１１５’…調節体、１１６…接触体、１１７…支持体、２１０…一方の電極、２１１…接触部、２１２…環状バネ体、２１３…軸部、２１４…一端側固定部、２１５…他端側固定部、２１５ａ…フランジ状部位、２１６…接続部、２１７…押圧体、３１０…一方の電極、３１１…接触部、３１２…軸部、３１３…接触体、３１４…支持体、３１５…支持部、３１５ａ…当接部位、３１５ｂ…基端部位、３１５ｃ…凹部、３１５ｄ…被挿通部、３１５ｅ…孔、３１６…絶縁体、４１０…一方の電極、４１１…接触部、４１２…軸部、４１２ａ…連結孔、４１３…接触体、４１４…支持体、４２０…他方の電極、４２１…空間部、４３０…電源接続部、４３１…突出部、４３２…端子部、４３３…導電部、４４０…電源接続部、４４２…端子部、４４３…導電部、４７０…電極装置、４７１…電極装置要素、４７２…電極装置要素、４７３…板状部、４８０…電極装置、４８１…電極装置要素、４８２…電極装置要素、４９０…アセンブリ、５１０…一方の電極、５１１…突出部、５１２…軸部、５１３…導電体、５１４…脱落防止部、５１５…収容部、５１０’…一方の電極、Ｌ…軸線、Ｓ…収容空間
【図１】
2008229552.tif 000003
【図２】
2008229552.tif 000004
【図３】
2008229552.tif 000005
【図４】
2008229552.tif 000006
【図５】
2008229552.tif 000007
【図６】
2008229552.tif 000008
【図７】
2008229552.tif 000009
【図８】
2008229552.tif 000010
【図９】
2008229552.tif 000011
【図１０】
2008229552.tif 000012
【図１１】
2008229552.tif 000013
【図１２】
2008229552.tif 000014
【図１３】
2008229552.tif 000015
【図１４】
2008229552.tif 000016
【図１５】
2008229552.tif 000017
【図１６】
2008229552.tif 000018
【図１７】
2008229552.tif 000019
【図１８】
2008229552.tif 000020
【図１９】
2008229552.tif 000021
【図２０】
2008229552.tif 000022
【図２１】
2008229552.tif 000023
【図２２】
2008229552.tif 000024
【図２３】
2008229552.tif 000025
【図２４】
2008229552.tif 000026
【図２５】
2008229552.tif 000027
【図２６】
2008229552.tif 000028
【図２７】
2008229552.tif 000029
【手続補正書】
【提出日】平成19年4月9日(2007.4.9)
【手続補正１】
【補正対象書類名】明細書
【補正対象項目名】００１３
【補正方法】変更
【補正の内容】
【００１３】
本発明に係る電解洗浄装置は、電解洗浄液を収容する洗浄槽内において、陰陽一対の電極間に洗浄対象物を配置するとともに、これら一対の電極及び洗浄対象物を電解洗浄液中に浸漬して通電し、電解洗浄を行う電解洗浄装置であって、前記洗浄対象物は、洗浄対象部位を外周側に有する筒状体であり、前記一対の電極のうちの一方の電極が前記洗浄対象物を保持して該洗浄対象物と電気的に接続し、前記一対の電極のうちの他方の電極が前記洗浄対象部位と間隔をあけて配置され、且つ、前記洗浄対象部位の少なくとも一部と対向するような構成となることを特徴とする。
【手続補正２】
【補正対象書類名】明細書
【補正対象項目名】０１８３
【補正方法】変更
【補正の内容】
【０１８３】
上記各実施形態に係る電解洗浄装置の一対の電極は、電解洗浄装置に静止状態で配置されるものであったが、適当な駆動機構により回転可能に構成されるものであってもよい。このようにすれば、電解洗浄液を撹拌し、電極や洗浄対象物の洗浄対象部位に発生し得る気体を効率的に除去することができる。この場合、一方の電極のみが駆動操作されるもの、又は、他方の電極のみが駆動操作されるものでもよく、両方の電極がそれぞれ駆動操作されるものでもよい。さらに、かかる駆動操作は、手動又は自動で切替可能であることが好ましい。
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
電解洗浄液を収容する洗浄槽内において、陰陽一対の電極間に洗浄対象物を配置するとともに、これら一対の電極及び洗浄対象物を電解洗浄液中に浸漬して通電し、電解洗浄を行う電解洗浄装置であって、
前記洗浄対象物は、洗浄対象部位を外周側に有する筒状体であり、
前記一対の電極のうちの一方の電極は、前記洗浄対象物の内周面に接触して該洗浄対象物を直接保持するとともに該洗浄対象物に電気的に接続すべく、該洗浄対象物の内周面に付勢状態で圧接する複数の接触部を備え、
前記一対の電極のうちの他方の電極が前記洗浄対象部位と間隔をあけて配置され、且つ、前記洗浄対象部位の少なくとも一部と対向するような構成となることを特徴とする電解洗浄装置。
【請求項２】
前記一方の電極を陰極、前記他方の電極を陽極とすることを特徴とする請求項１に記載の電解洗浄装置。
【請求項３】
前記洗浄対象物をロール状スタンパーとする請求項１又は２に記載の電解洗浄装置。
【請求項４】
前記一方の電極は、前記筒状の洗浄対象物の高さ方向に沿って配置される軸部を備え、前記複数の接触部は、前記軸部から突出させて設けられることを特徴とする請求項１から３のいずれか一項に記載の電解洗浄装置。
【請求項５】
前記接触部は、前記洗浄対象物の内周面に接触する接触体と、該接触体を先端側で支持し基端側が前記軸部に固定される弾性変形可能な支持体とを備えて構成されることを特徴とする請求項１から４のいずれか一項に記載の電解洗浄装置。
【請求項６】
前記接触体は、少なくとも前記洗浄対象物の内周面と接触する部位が、前記洗浄対象物の内径よりも大きい曲率で湾曲する湾曲形状を有することを特徴とする請求項５に記載の電解洗浄装置。
【請求項７】
前記一方の電極は、前記軸部の軸線方向両端部が電極支持部材に着脱可能に支持されることを特徴とする請求項１から６のいずれか一項に記載の電解洗浄装置。
【請求項８】
前記他方の電極は、前記洗浄対象物を囲むように配置されることを特徴とする請求項１に記載の電解洗浄装置。
【請求項９】
前記他方の電極は、前記洗浄対象物を囲む周方向において複数の電極部に分けて設けられ、且つ、前記洗浄対象物を囲む周方向における所定の箇所を中心に開閉可能に構成されることを特徴とする請求項１から８のいずれか一項に記載の電解洗浄装置。
【請求項１０】
前記他方の電極は、前記洗浄対象物の洗浄対象部位に対向して配置される複数の電極部材と、該複数の電極部材を着脱可能に支持するフレーム部材とを備えて構成されることを特徴とする請求項１から９のいずれか一項に記載の電解洗浄装置。
【請求項１１】
前記電極部材は、前記洗浄対象物の洗浄対象部位からの距離を調節可能に前記フレーム部材に取り付けられることを特徴とする請求項１０に記載の電解洗浄装置。
【請求項１２】
前記電極部材は、平坦な板状あるいは湾曲した板状を有する電極体を備え、該電極体には、両面間を連通する空間部が形成されることを特徴とする請求項１０又は１１に記載の電解洗浄装置。
【請求項１３】
前記他方の電極は、前記洗浄対象物を囲む全周のうち少なくとも一部の領域を開放して構成されることを特徴とする請求項１から１２のいずれか一項に記載の電解洗浄装置。
【請求項１４】
前記電解洗浄液を超音波振動させる超音波発生器を備えることを特徴とする請求項１から１３のいずれか一項に記載の電解洗浄装置。
【請求項１５】
前記電解洗浄液を洗浄槽から排出し、夾雑物を除去し、再度洗浄槽内に投入する循環機構を備えることを特徴とする請求項１から１４のいずれか一項に記載の電解洗浄装置。
【請求項１６】
前記電解洗浄液を加熱する加熱装置を備えることを特徴とする請求項１から１５のいずれか一項に記載の電解洗浄装置。
【手続補正２】
【補正対象書類名】明細書
【補正対象項目名】００１３
【補正方法】変更
【補正の内容】
【００１３】
本発明に係る電解洗浄装置は、電解洗浄液を収容する洗浄槽内において、陰陽一対の電極間に洗浄対象物を配置するとともに、これら一対の電極及び洗浄対象物を電解洗浄液中に浸漬して通電し、電解洗浄を行う電解洗浄装置であって、前記洗浄対象物は、洗浄対象部位を外周側に有する筒状体であり、前記一対の電極のうちの一方の電極は、前記洗浄対象物の内周面に接触して該洗浄対象物を直接保持するとともに該洗浄対象物に電気的に接続すべく、該洗浄対象物の内周面に付勢状態で圧接する複数の接触部を備え、前記一対の電極のうちの他方の電極が前記洗浄対象部位と間隔をあけて配置され、且つ、前記洗浄対象部位の少なくとも一部と対向するような構成となることを特徴とする。
【手続補正３】
【補正対象書類名】明細書
【補正対象項目名】００１４
【補正方法】変更
【補正の内容】
【００１４】
上記構成からなる電解洗浄装置によれば、前記一方の電極が前記線状対象物を保持し、且つ、他方の電極が前記洗浄対象部位と間隔をあけて配置されるため、洗浄対象部位に電極などを直接接触させることなく電解洗浄を行うことができる。また、洗浄対象物が複数箇所において電気的に接触されるため、洗浄対象物の部位ごとの通電量の差を小さくして、洗浄むらの発生を好適に抑制することができる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】